(57)【要約】  本発明は、洋上風力タービンを設置船によって洋上での目標位置に設置するための方法であって、設置船が、ブレードの根端部が接続される複数の根端部コネクタを有するハブを備えるナセルを一時的に支持するためのナセル支持構造体であって、設置船のデッキから上向きに延在する支持タワーと、ナセルを一時的に支持するように構成された支持プラットフォームとを備えるナセル支持構造体と、１つ又は複数の揚重デバイスであって、ナセルを支持プラットフォームに引き上げ、ブレードを含むナセルアセンブリを、船舶に隣接して位置する風力タービンマストに引き上げるように構成された１つ又は複数の揚重デバイスとを備え、方法が、ナセルを支持プラットフォームに引き上げ、ナセルを支持プラットフォームに固定するステップａ）と、ナセルのハブの根端部コネクタをブレード移動システムの案内経路に面する方向に向けるステップｂ）と、第１のブレードの根端部をハブの対応する第１の根端部コネクタに接続するステップｃ）と、以後のブレード及び根端部コネクタについて、すべてのブレードがナセルのハブに接続され、これによりＲＮＡが形成されるまでステップｂ）及びｃ）を繰り返すステップｄ）と、ＲＮＡをナセル支持構造体から引き上げ、船舶に隣接して位置する風力タービンマストにＲＮＡを配置するステップｅ）とを含む方法に関する。
2021530405.tif 000002
【特許請求の範囲】
【請求項１】
設置船（１０）によって洋上風力タービン（１００）を洋上での目標位置（１１）に設置するための方法であって、前記設置船が、前記洋上風力タービン（１００）を設置する際に浮遊しており、前記設置船が、
ブレード（２４）の根端部（２０）が接続される複数の根端部コネクタ（２２）を有するハブを備えるナセル（１６）を一時的に支持するためのナセル支持構造体（１４）であって、
前記設置船のデッキから上向きに延在する支持タワー（３０）であって、前記支持タワーのベース（１３０）が、前記洋上風力タービンを設置する際に前記デッキに対して固定位置に留まる、前記支持タワー（３０）、及び
前記支持タワーに接続された支持プラットフォーム（３２）であって、１つ又は複数のブレードを前記ナセルに接続する際に前記ナセルを一時的に支持するように構成された前記支持プラットフォーム（３２）、
を備える前記ナセル支持構造体と、
前記ナセル（１６）を前記支持プラットフォームに引き上げるように、且つ、前記ブレード（２４）を含むナセルアセンブリ（３６）を、前記設置船に隣接して位置する風力タービンマスト（８１）に引き上げるように構成された１つ又は複数の揚重デバイス（３４、３５）であって、完成した前記ナセルアセンブリを引き上げるための前記揚重デバイスが、前記支持タワーから分離されたクレーンである、１つ又は複数の前記揚重デバイス（３４、３５）と、
を備えている、前記方法において、
前記方法は、
前記ナセルを前記支持プラットフォームに引き上げ、前記ナセルを前記支持プラットフォームに固定するステップａ）と、
前記ナセルの前記ハブの根端部コネクタ（２０）をブレード移動システムの案内経路に面する方向に向けるステップｂ）と、
第１のブレードの前記根端部（２２）を前記ハブの対応する第１の根端部コネクタに接続するステップｃ）と、
すべてのブレードが前記ナセルの前記ハブに接続されるまで、以後のブレード及び根端部コネクタについてステップｂ）及びｃ）を繰り返し、これによりＲＮＡ（３６）を形成するステップｄ）と、
前記ＲＮＡを前記クレーンから吊り下げ、前記クレーンによって前記ＲＮＡを前記ナセル支持構造体の前記支持プラットフォームから引き上げ、その後に前記ＲＮＡを前記クレーンによって前記支持プラットフォームから離れる方向に移動させ、前記ＲＮＡを前記設置船に隣接して位置する前記風力タービンマスト（８１）に配置するステップｅ）と、
を含む方法。
【請求項２】
前記ブレードを前記ハブに設置する際に、同時に、１つ又は複数の前記揚重デバイスが基礎（８０）を海底に設置し、前記風力タービンマスト（８１）又は前記風力タービンマスト（８１）の一部を前記基礎に引き上げる、請求項１に記載の方法。
【請求項３】
前記設置船は、持上位置から、前記根端部が前記根端部コネクタに配置される設置位置に、ブレードを移動させるように構成されたブレード移動システム（４０）を備え、
前記ブレード移動システムが、前記ブレードを支持するように構成された少なくとも１つの可動ブレード支持体（４４）と、前記可動ブレード支持体を移動させるための駆動システム（４５）とを備え、
前記方法が、前記ステップｂ）と前記ステップｃ）との間に、
前記可動ブレード支持体によってブレードの前記根端部を支持するステップと、
前記駆動システムを介して前記可動ブレード支持体を移動させることによって、前記案内経路に沿って前記ハブの前記根端部コネクタ（２０）に至るまで、前記第１のブレード（２４Ａ）の前記根端部を移動させ、前記根端部を前記根端部コネクタに揃え、前記ブレードの前記根端部を前記ハブの前記根端部コネクタと係合させるステップと、
を備える、請求項１又は２に記載の方法。
【請求項４】
前記ブレード移動システムが、
前記ナセル支持構造体に接続され、特に固定される積載レール（４６）であって、前記支持プラットフォームに位置する第１の端部と、前記第１の端部よりも前記支持プラットフォームからさらに離れた位置に位置する反対側の第２の端部とを有し、積載経路を形成する前記積載レール（４６）と、
前記支持プラットフォームのところの設置位置と、前記設置位置よりも前記支持プラットフォームからさらに離れた遠隔位置との間を前記積載レールに沿って転動するか又は滑動するトロリー（６０）であって、少なくとも１つのブレード支持体（４４）が直接又は間接的に前記トロリーに接続され、前記トロリーによって移動させられるトロリーと、
を備え、
前記方法が、
前記トロリーが前記遠隔位置にあるときに前記ブレードの少なくとも一部、特に前記根端部を前記ブレード支持体（４４）に係合させ、前記ブレード支持体によって前記ブレードの少なくとも一部を支持するステップと、
前記トロリーを前記遠隔位置から前記積載レールに沿って前記支持プラットフォームのところの前記設置位置に向かって移動させ、これにより前記ブレードの前記根端部を前記ハブの前記根端部コネクタに向かって移動させるステップと、
を備える、請求項３に記載の方法。
【請求項５】
積載レール（４６）は、前記支持タワーに沿って垂直距離に亘って延在し、前記遠隔位置は、下部位置であり、前記設置位置は、前記トロリーの上部位置であり、前記トロリーは、前記根端部を上向きに前記支持タワーに沿って前記ナセルに向かって移動させる、請求項４に記載の方法。
【請求項６】
上向きに移動する際に、前記ブレードを、前記ブレードが垂直に対して持上角度で延在する持上姿勢と前記ブレードが垂直に対して設置角度で延在する設置姿勢との間で旋回させ、前記設置角度は前記持上角度よりも小さい、請求項５に記載の方法。
【請求項７】
前記ブレード移動システムは、前記ブレードの長さに沿って間隔を置いて設けられた複数の位置に前記ブレードを保持するために複数のブレード支持体（４４Ａ、４４Ｂ、４４Ｃ）が接続されたローダアーム（７０）であって、長さが前記ブレードの長さの少なくとも２分の１である前記ローダアーム（７０）を備え、
前記ローダアーム（７０）は、
ａ）トロリーヒンジ（７１）を介してトロリー（６０）に旋回可能に接続されるか、又は
ｂ）少なくとも１つのヒンジ（７７）を介して前記デッキ又は前記支持タワーに旋回可能に接続され、前記ヒンジは、前記支持タワーの前記ベースに、又は前記支持タワーから離れた位置に位置し、
前記ローダアームは、ヒンジの周りを旋回可能であり、ローダアームがブレードを持ち上げるために垂直に対して持上角度で延在する持上姿勢と、ローダアームが垂直に対して設置角度で延在する設置姿勢との間を移動可能であり、前記設置角度は前記持上角度よりも小さく、
方法は、
ブレードが前記持上姿勢であるときに前記ブレードを前記ブレード支持体を介して前記ローダアームに接続するステップと、
前記ブレードを前記ローダアームによって前記設置姿勢まで旋回させるステップと、
を含む、請求項３から６のいずれか一項に記載の方法。
【請求項８】
前記ローダアームは前記トロリーヒンジ（７１）を介して前記トロリー（６０）に旋回可能に接続され、
前記方法は、
前記ブレード支持体を介して前記ローダアームによって前記ブレードを保持するステップであって、前記ブレードの前記根端部が、前記トロリーの方へ向けられ、自由端が前記トロリーから離れる方向に向けられるステップと、
前記トロリーを前記支持タワーに沿って上向きに移動させ、これにより、前記ブレードの前記根端部を前記支持タワーに沿って上向きに前記ナセルに向かって移動させ、前記ブレードを前記設置姿勢まで旋回させるステップと、
を含む、請求項７に記載の方法。
【請求項９】
前記ローダアームは、前記デッキに旋回可能に接続されるか又は少なくとも１つのヒンジ（７７）を介して前記支持タワーに旋回可能に接続され、
ａ）前記ヒンジ（７７）は、前記支持タワーのベースに位置し、前記ローダアームの反対側の端部（７９）は、円の一部の経路を辿り、前記ブレードは、前記ブレードの前記根端部（２２）が前記ヒンジから離れる方向に向けられ、前記ブレードの自由端が前記ヒンジの方へ向けられるように前記ローダアームによって保持され、前記ブレードは、上向き移動の際に前記支持タワーに揃えられたままであり、
ｂ）前記ヒンジ（７７）は、前記支持タワーのベースに位置し、前記ローダアームの前記反対側の端部は、円の一部の経路を辿り、前記ブレード支持体（４４）は、前記反対側の端部（７９）に旋回可能に接続され、前記ブレードは、上向きに移動する際に前記ローダアームに対して前記支持プラットフォームの前記ハブに向かって旋回させられ、
ｃ）前記ヒンジ（７７）は、前記支持タワーのベースからある距離（１０３）に位置し、前記ブレードは、前記ブレードの前記自由端（２５）が前記ヒンジの方へ向けられるように前記ローダアームによって保持され、前記ブレードは、上向きに移動する際に前記支持タワーに揃えられたままであり、
前記方法は、前記ローダアームを上向きに旋回させ、これにより前記ブレードの前記根端部を前記ナセルに向かって移動させるステップを含む、請求項７に記載の方法。
【請求項１０】
前記ブレード移動システム（４０）は、各ブレードの前記根端部を前記支持プラットフォームの高さまで引き上げるように構成され、前記根端部を引き上げる際に、前記ブレードの自由端（２５）は、前記デッキの高さに留まるか、又は少なくとも、前記根端部を前記ハブに接続するまで同じ高さまで上昇されることはなく、根端部（２２）を引き上げる際に、前記ブレードを旋回させ、前記自由端を前記支持タワーに向かって移動させる、請求項３から９のいずれか一項に記載の方法。
【請求項１１】
前記ブレードは、前記ブレードが略水平である際に前記少なくとも１つのブレード支持体によって持ち上げられる、請求項３から１０のいずれか一項に記載の方法。
【請求項１２】
前記ブレードを、前記支持タワーに揃えられる設置姿勢、特に垂直姿勢まで旋回させ、前記ブレードは、旋回中、前記風力タービンマスト又はマストセクションに接続されていない、請求項１から１１のいずれか一項に記載の方法。
【請求項１３】
前記ブレード移動システムは、前記根端部（２２）を前記ブレードの長手方向と直交するＹ方向及びＺ方向において前記根端部コネクタ（２０）に対して揃えるためのアクチュエータ（６８、６９）を備え、前記長手方向はＸ方向であり、前記アクチュエータ（６８、６９）は、少なくとも１つのブレード支持体（４４）を、前記ブレード支持体（４４）が接続されたトロリー（６０）又はローダアーム（７０）に対して前記Ｙ方向及び前記Ｚ方向に移動させ、前記アクチュエータは特に、前記根端部の前記複数のねじ付き端部を前記根端部コネクタにおける関連する複数の穴に揃える、請求項３から１２のいずれか一項に記載の方法。
【請求項１４】
前記ブレードを垂直に対して０度〜７０度、好ましくは４０度〜８０度、より好ましくは５０度〜７０度の角度である設置姿勢まで旋回させる、請求項１から１１及び請求項１３のいずれか一項に記載の方法。
【請求項１５】
前記ハブの主回転軸（１９）は、前記設置船の長手方向に対して平行に向けられるか又は直交するように向けられる、請求項１から１４のいずれか一項に記載の方法。
【請求項１６】
前記支持タワー及び前記ブレードの持上位置は、前記設置船の側部に配置され、
前記持上位置（４１）は、前記設置船の長手方向に平行に延在する、請求項１から１５のいずれか一項に記載の方法。
【請求項１７】
前記支持タワーは、水面までの高さが前記ブレードの長さの少なくとも５０％、特に少なくとも７５％、さらに特に少なくとも１００％である、請求項１から１６のいずれか一項に記載の方法。
【請求項１８】
積載レール（４６）は、前記支持プラットフォームから離れる方向へ水平距離に亘って延在し、
トロリーは、前記積載レールに沿って前記支持プラットフォームに向かって遠隔位置から設置位置に至るまで前記水平距離に亘って転動するか又は滑動し、
ブレード支持体（４４）は、前記トロリーに設けられ、前記積載レールの一方の端部が、前記支持プラットフォームに位置し、
ローダアームの反対側の端部が前記支持プラットフォームから離れた位置に位置する、請求項３、１６、及び１７のいずれか一項に記載の方法。
【請求項１９】
１つ又は複数の前記揚重デバイスは、クレーンを備え、
前記ブレードは、前記クレーンによって前記デッキから引き上げられ、
前記ブレードの前記根端部はトロリーのブレード支持体に配置され、
前記ブレードは、トロリーを前記ナセルに向かって移動させる際に前記トロリーと前記クレーンの両方によって支持される、請求項１から１８のいずれか一項に記載の方法。
【請求項２０】
積載レール（４６）は水平方向に延在する、請求項１８及び１９のいずれか一項に記載の方法。
【請求項２１】
積載レールは、垂直に対して０度〜７０度、好ましくは４０度〜８０度、より好ましくは５０度〜７０度の角度で延在し、
前記ブレードは、垂直に対して０度〜７０度、好ましくは４０度〜８０度、より好ましくは５０度〜７０度の角度で前記根端部コネクタに接続される、請求項１８又は１９に記載の方法。
【請求項２２】
前記設置船が、少なくとも第１の揚重デバイス（３４）及び第２の揚重デバイス（３５）を備え、
前記第１の揚重デバイスは、前記設置船の前記デッキの、特に右舷側に関連する第１のデッキ領域を有する第１のクレーンであり、
前記第２の揚重デバイスは、前記設置船の前記デッキの、特に左舷側に関連する第２のデッキ領域を有する第２のクレーンであり、
前記第１及び第２のデッキ領域は異なる専用デッキ領域であり、
前記第１のクレーンは、基礎を海底に設置するために使用され、前記第２のクレーンは、同時に前記ナセルを組み立てるための揚重動作を実行し、前記第１のクレーン及び前記第２のクレーンはそれぞれ、その関連する専用デッキ領域を使用する、請求項１から２１のいずれか一項に記載の方法。
【請求項２３】
基礎及び前記風力タービンマスト又はマストセグメントは、第１のクレーンによって前記設置船の第１の側から設置され、
前記ナセルは、船舶の異なる第２の側に組み立てられ、前記基礎を設置し、
前記設置船は、前記ブレードを前記ハブに接続する際に、前記第１の側を前記目標位置にして配置され、
前記設置船は、前記基礎及び前記風力タービンマストが設置された後に、前記ＲＮＡ（３６）を前記設置船から前記風力タービンマストに移送するために前記第２の側を前記目標位置にして再配置される、請求項１から２２のいずれか一項に記載の方法。
【請求項２４】
前記設置船は、前記ブレードを前記ハブに設置する際に再配置される、請求項１から２３のいずれか一項に記載の方法。
【請求項２５】
前記ＲＮＡ（３６）は、前記ＲＮＡ（３６）の組立てと同時に設置された基礎（８０）及びマスト（８１）に設置され、
前記ＲＮＡ（３６）は、前記ＲＮＡ（３６）の組立てと同時に設置された前記基礎（８０）及びマスト（８１）とは異なる基礎及びマストに設置される、請求項１から２４のいずれか一項に記載の方法。
【請求項２６】
前記ブレードはそれぞれ、傾斜姿勢で前記ハブに設置され、
前記ブレードの前記根端部は、前記ブレードの自由端よりも高い位置に位置する、請求項１から２５のいずれか一項に記載の方法。
【請求項２７】
前記方法が、前記ナセル（１６）及びハブ（１８）を複数のアクチュエータによって前記支持プラットフォーム（３２）の固定部（１２４）に対して、且つ前記ブレード（２４）に対して移動させ、これにより、前記根端部コネクタ（２０）を前記ブレードの前記根端部（２２）に揃えるステップを含む、請求項１から２６のいずれか一項に記載の方法。
【請求項２８】
前記方法が、前記根端部を前記根端部コネクタに揃える際に、前記ブレード移動システム（４０）を含む前記ブレードとナセル移動システム（１１９）を含む前記ナセル及びハブの両方を移動させるステップを含む、請求項１から２７のいずれか一項に記載の方法。
【請求項２９】
風力タービン（１００）を浮遊の際に目標位置に洋上設置するように構成された設置船（１０；１０′）であって、
ブレード（２４）の根端部（２２）が接続される複数の根端部コネクタ（２０）を有するハブを備えるナセルを一時的に支持するためのナセル支持構造体（１４）であって、
前記設置船のデッキから上向きに延在する支持タワー（３０）、及び
前記支持タワーに接続された支持プラットフォーム（３２）であって、１つ又は複数のブレードを前記ナセルに接続する際に前記ナセルを一時的に支持するように構成された支持プラットフォーム（３２）と
を備える前記ナセル支持構造体（１４）と、
前記ナセル（１６）を前記支持プラットフォームに引き上げるように、且つ、完成したナセルアセンブリ（３６）を前記設置船に隣接して位置する風力タービンマスト（８１）に引き上げるように構成された１つ又は複数の揚重デバイスであって、完成した前記ナセルアセンブリを引き上げるための前記揚重デバイスが、前記支持タワーから分離されたクレーン（３４、３５）である、１つ又は複数の前記揚重デバイスと、
を備える設置船。
【請求項３０】
前記設置船が、持上位置から、前記根端部（２２）が前記根端部コネクタ（２０）に配置される設置位置に至るまで、ブレードを移動させるように構成されたブレード移動システム（４０）を備え、
前記ブレード移動システムは、前記ブレードを支持するように構成された少なくとも１つの可動ブレード支持体（４４）と、可動ブレード支持体を移動させるための駆動システム（４５）とを備える、請求項２９に記載の設置船。
【請求項３１】
前記ブレード移動システムは、
前記ナセル支持構造体に接続され、特に固定される積載レール（４６）であって、前記支持プラットフォームに位置する第１の端部と、前記第１の端部よりも支持プラットフォームからさらに離れた位置に位置する反対側の第２の端部とを有し、積載経路を形成する積載レールと、
前記支持プラットフォームのところの設置位置と、前記設置位置よりも前記支持プラットフォームからさらに離れた遠隔位置との間を前記積載レールに沿って転動するか又は滑動するトロリー（６０）であって、少なくとも１つのブレード支持体が直接又は間接的に前記トロリーに接続され、前記トロリーによって移動させられるトロリーとを備える、請求項３０に記載の設置船。
【請求項３２】
前記積載レールは、前記支持タワーに沿って垂直距離に亘って延在し、
前記遠隔位置は、下部位置であり、
前記設置位置は、前記トロリーの上部位置であり、
前記トロリーは、前記根端部を上向きに前記支持タワーに沿って前記ナセルに向かって移動させるように構成される、請求項３１に記載の設置船。
【請求項３３】
前記ブレード移動システムは、前記ブレードの長さに沿って間隔を置いて設けられた複数の位置に前記ブレードを保持するために複数のブレード支持体（４４Ａ、４４Ｂ、４４Ｃ）が接続されたローダアーム（７０）を備え、
前記ローダアームは、
ａ）トロリーヒンジ（７１）を介して前記トロリー（６０）に旋回可能に接続されるか、又は
ｂ）少なくとも１つのヒンジ（７７）を介して前記デッキ又は前記支持タワーに旋回可能に接続され、前記ヒンジは、前記支持タワーのベースに、又は前記支持タワーの前記ベースから距離を置いて位置し、
前記ローダアームは、前記ヒンジの周りを旋回可能であり、前記ローダアームが前記ブレードを持ち上げるために垂直に対して持上角度で延在する持上姿勢と、前記ローダアームが垂直に対して設置角度で延在する設置姿勢との間を移動可能であり、
前記設置角度は前記持上角度よりも小さい、請求項３１又は３２に記載の設置船。
【請求項３４】
ローダアームの一端は、トロリーヒンジを介してトロリーに旋回可能に接続され、前記ローダアームの反対側の端部（５５）は、デッキの第１の位置とデッキの第２の位置との間を延在するデッキレール（４９）の上方を移動可能であるデッキトロリー（４８）によって支持され、
前記第２の位置は、前記第１の位置よりも前記支持タワーのベースに近く、
ブレード移動システム（４０）は、前記ブレードそれぞれの前記根端部を前記支持プラットフォームの高さまで引き上げるように構成され、
前記ブレードの自由端（２５）は、前記根端部を引き上げる際に、前記根端部を前記ハブに接続するまで同じ高さまで上昇されることはなく、前記根端部を引き上げる際に、前記ブレードをある角度に亘って旋回させ、前記自由端を前記支持タワーに向かって水平距離に亘って移動させる、請求項２９から３３のいずれか一項に記載の設置船。
【請求項３５】
前記ローダアームは、前記デッキに旋回可能に接続されるか又は少なくとも１つのヒンジ（７７）を介して前記支持タワーに旋回可能に接続され、
ａ）前記ヒンジ（７７）は、前記支持タワーのベースに位置し、前記ローダアームの反対側の端部（７９）は、円の一部の経路を辿り、前記ローダアームは、前記ブレードの前記根端部（２２）が前記ヒンジから離れる方向に向けられ、前記ブレードの自由端が前記ヒンジの方へ向けられるように前記ブレードを保持するように構成され、前記ブレードは、上向き移動の際に前記支持タワーに揃えられたままであり、
ｂ）前記ヒンジ（７７）は、前記支持タワーのベースに位置し、前記ローダアームの前記反対側の端部（７９）は、円の一部の経路を辿り、前記ブレード支持体（４４）は、前記反対側の端部（７９）に旋回可能に接続され、前記ブレードは、上向きに移動する際に前記ローダアームに対して前記支持プラットフォームの前記ハブに向かって旋回させられ、
ｃ）前記ヒンジ（７７）は、前記支持タワーの前記ベースからある距離（１０３）に位置し、前記ローダアームは、前記ブレードの前記自由端（２５）が前記ヒンジの方へ向けられるように前記ブレードを保持するように構成され、前記ブレードは、上向きに移動する際に前記支持タワーに揃えられたままである、請求項３３に記載の設置船。
【請求項３６】
前記支持タワーは、略垂直に向けられるか、又は少なくとも水平に対して８５度よりも大きい角度に向けられる、請求項２９から３５のいずれか一項に記載の設置船。
【請求項３７】
前記支持プラットフォーム（３２）は、前記ハブの主回転軸が前記設置船の長手方向に平行に向けられるか、又は前記設置船の長手方向に直交するように向けられるように前記ナセルを支持するように構成される、請求項２９から３６のいずれか一項に記載の設置船。
【請求項３８】
前記支持タワー及び前記ブレードの持上位置は、前記設置船の側部に配置され、
前記持上位置は、前記設置船の長手方向に平行に延在する、請求項２９から３７のいずれか一項に記載の設置船。
【請求項３９】
前記支持タワーは、水面までの高さが前記ブレードの長さの少なくとも５０％、特に少なくとも７５％、さらに特に少なくとも１００％である、請求項２９から３８のいずれか一項に記載の設置船。
【請求項４０】
ブレード移動システムは、走行ブロックを備える巻上げシステムを備え、
ブレード支持体は、前記ブレードを上向きに旋回させつつ前記ブレードの前記根端部を前記支持プラットフォームまで巻き上げるために前記走行ブロックに取り付けられ、
特に前記走行ブロックとトロリーとが一体化される、請求項２９から３９のいずれか一項に記載の設置船。
【請求項４１】
積載レール（４６）は、前記支持プラットフォームから離れる方向へ水平距離に亘って延在し、
前記積載レールの一端は、前記支持プラットフォームに位置し、
前記積載レールの反対側の端部は、前記支持プラットフォームから離れた位置に位置し、
トロリー（６０）は、前記積載レールに沿って前記支持プラットフォームに向かって遠隔位置から設置位置まで前記水平距離に亘って転動するか又は滑動するように構成され、
前記トロリーは少なくとも１つのブレード支持体（４４）を支持する、請求項３１及び３６から４０のいずれか一項に記載の設置船。
【請求項４２】
１つ又は複数の揚重デバイスは、前記ブレードを前記デッキから引き上げ、トロリーを前記ナセルに向かって移動させる際に引き続き前記ブレードを支持しつつ、ブレード支持体（４４）の前記ブレードの前記根端部を前記トロリーに配置するように構成されたクレーンを備える、請求項２９から４１のいずれか一項に記載の設置船。
【請求項４３】
積載レールは、水平方向に延在する、請求項４１及び４２のいずれか一項に記載の設置船。
【請求項４４】
積載レールは、垂直に対して０度〜７０度の角度、好ましくは５０度〜７０度の角度で延在し、
前記ブレードは、垂直に対して０度〜７０度の角度、好ましくは５０度〜７０度の角度に前記根端部コネクタに接続される、請求項４１及び４２のいずれか一項に記載の設置船。
【請求項４５】
前記設置船が、少なくとも第１の揚重デバイス（３４）及び第２の揚重デバイス（３５）を備え、
前記第１の揚重デバイスは第１のクレーンであり、
前記第２の揚重デバイスは第２のクレーンであり、
前記第１のクレーン及び前記第２のクレーンは、前記支持プラットフォームの高さよりも上まで延在し、
前記第１のクレーンは、基礎を海底に設置するように構成され、
前記第２のクレーンは、同時にＲＮＡを組み立てるための揚重動作を実行するように構成される、請求項２９から４４のいずれか一項に記載の設置船。
【請求項４６】
前記第１のクレーンは、前記設置船の第１の側に配置され、
前記第２のクレーンは、前記設置船の異なる第２の側に配置される、請求項４５に記載の設置船。
【請求項４７】
前記第１のクレーンは、前記設置船の前記デッキの、特に右舷側に関連する第１のデッキ領域を有し、
前記第２の揚重デバイスは、前記設置船の前記デッキの、特に左舷側に関連する第２のデッキ領域を有する第２のクレーンであり、
前記第１のデッキ領域及び前記第２のデッキ領域は異なる専用デッキ領域であり、
前記第１のデッキ領域は、前記基礎及び前記風力タービンマストの設置について専用に使用され、
前記第２のデッキ領域は、前記ブレードの前記ナセル上への設置について専用に使用される、請求項４５又は４６に記載の設置船。
【請求項４８】
ブレード移動システムは、前記根端部を前記ブレードの長手方向と直交するＹ方向及びＺ方向において前記根端部コネクタに対して厳密に配置するためのアクチュエータ（６８、６９）を備え、
前記アクチュエータは、特に、前記根端部の複数のねじ付き端部を前記根端部コネクタにおける関連する複数の穴に揃えるように構成される、請求項２９から４７のいずれか一項に記載の設置船。
【請求項４９】
前記アクチュエータ（６８、６９）は、少なくとも１つのブレード支持体（４４）を前記Ｙ方向及び方向Ｚ方向に移動させるように構成される、請求項４８に記載の設置船。
【請求項５０】
前記設置船が、第１の支持タワー（３０）からある距離離れて配置された第２の支持タワー（１００）を備える、請求項４１から４３のいずれか一項に記載の設置船。
【請求項５１】
前記設置船が、前記ブレードを水平姿勢で前記支持プラットフォームの高さまで引き上げることができるブレードリフト（１１０）を備える、請求項２９から５０のいずれか一項に記載の設置船。
【請求項５２】
第１の支持タワーと第２の支持タワーとは、少なくとも１つの支持ビームを介して相互接続される、請求項４９及び５０のいずれか一項に記載の設置船。
【請求項５３】
前記設置船が、前記支持プラットフォーム及びローダアーム（７０）の高さよりも上まで延在する単一のクレーンを備える、請求項２９から４３及び請求項４７から４９のいずれか一項に記載の設置船。
【請求項５４】
前記支持プラットフォーム（３２）は、前記支持プラットフォームの固定部（１２４）に対して、且つ、前記少なくとも１つのブレード支持体（４４）によって保持される前記ブレード（２４）に対して、前記ハブ（１８）を含む前記ナセル（１６）を少なくともＹ方向及びＺ方向に移動させるように構成されたアクチュエータ（１２１Ａ〜１２１Ｄ、１２３Ａ〜１２３Ｄ）を備えるナセル移動システム（１１９）を備える、請求項２９から４６のいずれか一項に記載の設置船。
【請求項５５】
アクチュエータは、前記根端部コネクタ（２０）を前記ブレードの前記根端部（２２）に揃えるために、前記ナセル及び前記ハブをＸ方向、Ｙ方向、及びＺ方向に移動させ、前記ナセル及び前記ハブをＸ軸、Ｙ軸、及びＺ軸の周りを旋回させるように構成される、請求項２９から５４のいずれか一項に記載の設置船。
【請求項５６】
前記支持プラットフォームは、前記ナセルを接続することができる台（１２５）を備え、
前記アクチュエータは、アクチュエータ（１２１Ａ〜１２１Ｄ）の第１の上部セット（１２０）及び前記第１の上部セットの下方に距離を置いて設けられたアクチュエータ（１２３Ａ〜１２３Ｄ）の第２の下部セット（１２２）に配置された油圧シリンダであり、
前記アクチュエータは、前記支持プラットフォームの固定部（１２４）と前記台との間を延在する、請求項５４及び５５のいずれか一項に記載の設置船。
【請求項５７】
第１のクレーン（３４）と第２のクレーン（３５）との両方が、前記設置船の船首若しくは船尾に配置されるか、又は、前記第１のクレーン（３４）と前記第２のクレーン（３５）との両方が、前記設置船の右舷側若しくは左舷側に配置されるか、又は、前記第１のクレーン（３４）と前記第２のクレーン（３５）とが、前記設置船の対角方向において対向する角部に配置される、請求項２９から５６のいずれか一項に記載の設置船。
【請求項５８】
前記設置船は、特に半潜水式の浮体式船舶（１０）である、請求項２９から５７のいずれか一項に記載の設置船。
【請求項５９】
前記設置船はジャッキアップリグ（１０′）である、請求項２９から５８のいずれか一項に記載の設置船。
【請求項６０】
前記クレーンは、垂直軸の周りを回転可能とされる回転式タレットベースと、ヒンジを介して前記回転式タレットベースに接続され、水平旋回軸の周りを前記回転式タレットベースに対して旋回可能とされる旋回式ブームとを備える、請求項２９から５９のいずれか一項に記載の設置船。
【請求項６１】
前記クレーンのベース（３９）は、前記支持タワーのベース（１３０）とは異なるデッキの位置に設けられる、請求項２９から６０のいずれか一項に記載の設置船。
【請求項６２】
前記支持タワーのベース（１３０）は、前記設置船の前記デッキ又は艇体に接続され、前記風力タービンの設置の際に前記デッキに対して固定位置のままであるように構成される、請求項２９から６０のいずれか一項に記載の設置船。
【発明の詳細な説明】
【技術分野】
【０００１】
本発明は、設置船、特に浮体式設置船によって洋上風力タービンを設置するための方法に関する。本発明は、設置船にも関する。
【背景技術】
【０００２】
洋上風力タービン設置の分野には、様々な設置方法が存在する。
【０００３】
洋上風力タービンを設置する方法には多数の要件及び検討事項が適用される。例えば、総設置時間は設置コストにおける重要な因子である。さらに、天候条件が設置を阻害することがあり、この理由で設置時間を短くすべきである。
【０００４】
さらに、安全の問題が重要である。洋上設置方法は一般に、作業員に対する一定の危険を伴い、この危険を最小限にすべきである。
【０００５】
さらに、多数の異なる設置ステップを実施する必要がある。全体として、海上での風力タービンの設置はかなり複雑であり、この複雑さを低減させると、コストが削減し、安全性を向上させることができる。この複雑さは、設置船のデッキレイアウトとも関係がある。どんな船舶でも、利用可能なデッキ空間は限られている。さらに、船舶は一般に、風力タービンが設置される目標領域に隣接して配置される。このことは、デッキの一部が目標領域に近く、一方、デッキの他の部分は、目標領域からずっと遠いことを意味する。一般に、目標領域に近いデッキの部分から揚重動作を実施すると有利である。このことは、船舶に隣接する目標領域に近いこのデッキ領域で部品を組み立てることも有利であることを意味する。同時に、一般に、動作中にデッキレイアウトを変更することは望ましくない。
【０００６】
風力タービンの部品を設置中に何度も移動させる必要があり、この理由で設置船のデッキレイアウトを変更する必要がある場合、このこと自体が複雑であり、これによりコストが増大し、場合によっては作業員の安全性が低下することがある。したがって、一般に、変更する必要がなく、設置プロセスを効率的にする簡素で整然としたデッキレイアウトが必要である。
【０００７】
さらに、一般的な傾向として、風力タービンの寸法は増大し続けている。単一の風力タービンの総出力は近年、１メガワットから１０メガワットまで増加しており、それに伴って寸法が増大している。さらに１２ＭＷまでのサイズの増大が進められており、さらなる増大が予期される。
【０００８】
この展開は、ブレードの長さが大きくなることも意味する。現在設置又は開発されている最大の風力タービン（１２ＭＷ）では、ブレードは長さが１００ｍを超えることがある。ブレードの取扱いは、長さが大きくなるにつれてますます困難になる。
【０００９】
さらに、洋上の風力タービンを設置する水深が何年も前から深くなっている。ジャッキアップリグは、水深については制限があり、水深を深くした場合、安定性を維持するためにジャッキアップリグを大型化する必要がある。ジャッキアップリグのジャッキアップ時間も水深が深くなるにつれて長くなり、これによりコストが増大する。さらに、水深が深くなると、基礎が大型化し、基礎の設置がより困難になる。
【００１０】
さらに、洋上の風力タービン設置方法には重要なロジスティック態様がある。設置船自体は一般に、かなり大型であり、動作させるのにコストがかかる。この理由で、一般に、設置船は目標位置に留まり、ほとんど又はまったく稼働停止時間なしに連続的に動作する必要がある。それにもかかわらず、たいていのプロジェクトでは複数の風力タービンを設置する必要があるので、輸送船は毎回ある目標位置から次の目標位置まで移動する必要がある。したがって、常に、以後の各設置間には一定の輸送時間が必要である。ジャッキアップリグは、マーシャリングヤードまで航行して構成要素を積載することが多く、これには時間がかかり、コストが増大する。代替として、構成要素を洋上でジャッキアップリグに積載することがあり、この場合、ジャッキダウン／ジャッキアップサイクルが必要になることが多く、これには時間がかかり、コストも増大する。
【００１１】
さらに、一般に、風力タービンのどの部分を陸地で組み立て、どの部分を洋上で組み立てるべきかが検討される。多くの異なる組合せが可能である。
【００１２】
すべてのこれらの検討事項は、簡単で高速で安全で同時に費用効率の高い設置方法を開発することをかなり困難にする。
【００１３】
特許文献１は、ジャッキアップリグが使用される設置方法を開示している。このジャッキアップリグは、設置構造が配置されるデッキを備える。この方法では、ハブ−ナセルアセンブリが設置構造上に配置される。この揚重動作は主クレーンによって実施される。ハブ−ナセルアセンブリはナセルとハブとを備える。
【００１４】
次に、ブレードがハブに接続される。この動作は二次クレーンによって実施される。ブレードは、水平に対して約３０°の傾斜姿勢でハブに接続される。
【００１５】
ブレードをハブに接続する間、風力タービンの幾つかのマストセグメント１１が基礎上に設置される。特に特許文献１の図１を参照されたい。
【００１６】
マストが完成してブレードがハブ−ナセルアセンブリに接続されると、クレーンは、ブレードを含む完成したハブ−ナセルアセンブリをマスト上に引き上げる。
【００１７】
この方法はうまく働くものと思われるが、本発明では、この方法に幾つかの欠点があることが認識された。
【００１８】
第１に、ブレードの取扱いがかなり厄介であり、制御が不可能であり且つ精度に欠ける。このことは、比較的小型のブレードの場合は問題にならないことがあるが、風力タービンの大型化が進んでおり、ブレードの操作中の制御の程度は、長さが９０ｍを超える場合がある現代のブレードには十分ではない。特に、ブレードの外側先端が、例えばブレードに作用する風力に起因して前後に揺れることがある。この問題は、別個タガーラインによって解決することができるが、タガーラインを締結するには時間がかかり、タガーラインの制御は複雑になることがある。
【００１９】
さらに、ブレードの根端部は一般に、ハブの対応する穴に挿入する必要のある多数のねじ付き端部を有する。この場合、ねじ付き端部を厳密に配置する必要がある。ブレードがクレーンによって運ばれ、タガーラインによって制御されるとき、そのような厳密な配置が困難になることがあり、衝突が起こる場合があり、これによりねじ付き端部、穴が損傷し、又はより一般的には、ハブ、ナセル、又はブレードが損傷する。これらの問題は、ジャッキアップリグ上では許容されることがある。その理由は、ジャッキアップリグは、設置手順の間実質的に動かないからである。しかし、浮体式船舶上では、これらの問題はより重要になり、重大な問題を生じさせる。
【００２０】
さらに、この設置方法では、風力タービンの基礎を別個の動作において海底に設置する必要がある。設置のこの部分では、一般に、そのような基礎をジャッキアップリグによって設置するのは効率的でないので別の船舶が必要になる。基礎の設置はクリティカルパス上に位置するので、総設置時間はかなり長くなる。
【００２１】
さらに、ジャッキアップレグは、ジャッキアップリグが目標位置に到達するたびに海底に配置する必要がある固有の欠点を有する。これには時間がかかり、比較的コストが高くなる。
【００２２】
さらに、ジャッキアップレグはあらゆる土壌条件に適しているわけではなく、レグ及びスパッドキャンが、動作すなわちまジャッキアップ／ジャッキダウンプロセス中に土壌に突き刺さるか又は突き抜ける場合がある。地震活動のある領域でも、ジャッキアップリグの使用は危険である。
【００２３】
その他、ケーブル配置及びジャッキアップ位置は、レグ及びケーブルとの衝突が生じないような配置及び位置である必要がある。
【００２４】
特許文献２（特許文献３としても公開されている）は、洋上でジャッキアップリグによって風力タービンを設置するための異なる設置方法を開示している。図１〜図３Ｅに関して開示された方法では、ジャッキアップリグのデッキ１３上にカンチレバーマストが配置される。カンチレバーマストは、デッキ１３に対して移動可能である。カンチレバーマストに中間プラットフォームが取り付けられる。中間プラットフォームは、ハブ−ナセルアセンブリを支持することができる。
【００２５】
設置の間、ブレードはハブ−ナセルアセンブリに接続される。特に図３Ｃ及び図３Ｄを参照されたい。同時に、基礎１７上にマストセグメント１５、１６が配置される。ブレードをハブ−ナセルアセンブリに接続すると、カンチレバーマストを風力タービンの完成したマストの方に移動させる。図３Ｅを参照されたい。完成したロータナセルアセンブリ（ＲＮＡ）が次に、風力タービンの質量上に配置される。
【００２６】
この方法はうまく働くものと思われるが、本発明では、カンチレバーマスト自体がかなり複雑であることが認識された。さらに、カンチレバーマストはジャッキアップリグと組み合わせるとうまく働くことがあるが、浮体式設置船と組み合わせるとうまく働かない可能性が高い。その理由は、浮体式設置船と風力タービンの基礎との間の相対的な動きによって、たいていの天候条件では、完成したロータナセルアセンブリ（ＲＮＡ）を風力タービンのマスト上に設置することが不可能になるからである。
【００２７】
さらに、特許文献２の方法は、特許文献１による方法と同様の欠点を有する。基礎を設置するための別個の設置船が必要であり、これは高価である。さらに、ブレードの取扱いがかなり厄介であり、特に非常に大型のブレードの場合は十分な制御ができない。ブレードの根端部の複数のねじ付き端部をハブ上の根端部コネクタの対応する穴に挿入するのは特に困難である。
【００２８】
特許文献２は、さらなる設置方法を開示している。特に、マスト及びナセル（ロータなし）の設置を示す図４Ａ〜図４Ｄを参照されたい。この設置の後、ロータ−ブレードアセンブリのナセル上への設置が実施される。この方法はうまく働くものと思われるが、ＲＮＡをはしけから水平姿勢で持ち上げ、その後垂直姿勢まで回転させる必要がある。特に大型ＲＮＡの場合、これはかなり複雑な揚重動作であり、失敗するリスクを伴う。基礎はジャッキアップリグとはしけとの間に位置するので、カンチレバータワーをジャッキアップリグの外部のかなりの距離に亘って、特に基礎の上方において基礎を越えた位置まで配置する必要がある。これはあまり実際的ではない。
【００２９】
特許文献２は、別の設置方法を開示している。図５Ａ〜図５Ｄを参照されたい。この方法では、ブレードが、完成した基礎−マスト−ナセルアセンブリ上にすでに配置されたハブ−ナセルアセンブリにブレードが接続される。この方法もかなりコストがかかり、ジャッキアップリグとともに使用することのみが可能であることが認識された。浮体式設置船を用いる場合、浮体式設置船と基礎−マスト−ナセルアセンブリとの間の相対的な動きによってこれは危険な手順となり、根端部のねじ付き端部をハブ上の根端部コネクタの関連する穴に挿入するのに必要な精度に欠ける。
【００３０】
特許文献２は、別の設置方法を開示している。図６Ａ〜図６Ｄを参照されたい。この場合、完成したロータナセルアセンブリ（ＲＮＡ）とマストとを含む完成した風力タービンが、カンチレバーマストによる１回の揚重動作においてはしけから基礎上に引き上げられる。この方法では、カンチレバーマストがジャッキアップリグの外部でかなりの距離に亘って滑動する必要がある。カンチレバーマストは、基礎の上方を基礎を越えた位置まで滑動し、はしけからＲＮＡマストアセンブリを受け取らなければならない。はしけは、衝突を防止するために基礎から離れている必要があり、これにより、カンチレバーマストが滑動しなければならない距離が長くなる。さらに、この揚重動作には中間位置が必要である。図６Ｃを参照されたい。ＲＮＡ−マストアセンブリはジャッキアップリグ上に配置される。概して、この揚重動作はかなり複雑である。大型ＲＮＡ−マストアセンブリの場合、大型ジャッキアップリグが必要になるか、又はジャッキアップリグの安定性が損なわれる場合がある。
【００３１】
特許文献２は、別の設置方法を開示している。図７Ａ〜図７Ｅを参照されたい。この方法では、ジャッキアップリグのデッキ上の支持構造上にハブ−ナセルアセンブリが配置される。ブレードはその後、ハブ−ナセルアセンブリに取り付けられる。特に図７Ｂを参照されたい。この動作と同時に又はこの動作の前に、クレーン及びガイドアーム７２０によって基礎上にマストセグメントが設置される。図７Ａを参照されたい。次いで、風力タービンのマストにいわゆるタワートロリー７３０が取り付けられる。次いで、完成したロータナセルアセンブリ（ＲＮＡ）がタワートロリーの支持プラットフォーム７３４上に配置される。特許文献２のパラグラフ５３を参照されたい。支持プラットフォーム７３４は、移動可能であり、その後設置されたマスト上でロータナセルアセンブリ（ＲＮＡ）を移動させる。図７Ｃ、図７Ｄ、及び図７Ｅを参照されたい。本発明では、タワートロリーを用いたマスト上へのＲＮＡの移送動作はかなり複雑であることが認識された。この動作には、特別に適合されたマストが必要である。さらに、設置船が浮体式船舶である場合、風力タービンの相対的な動きが生じ、これらの動きがそのような移送動作を阻害する場合があるか、又はＲＮＡとマストとの衝突が起こる恐れがある。その理由は、ＲＮＡがマストの高さにあり、前後に揺れたときにマストにぶつかる場合があるからである。
【００３２】
特許文献４は、洋上で風力タービンを組み立てる設置方法を開示しており、この場合、ハブ−ナセルアセンブリが垂直姿勢にされ、主回転軸が垂直姿勢にされ、ブレードが水平姿勢でハブ−ナセルアセンブリに取り付けられる。完成したＲＮＡは、マスト上に配置されると、水平回転軸の周りで回転させられる。特に図９を参照されたい。このステップは、複雑な揚重動作を伴う。
【００３３】
特許文献５は、洋上で、マストとナセルのすでに設置されたアセンブリにブレードを接続する設置方法を開示している。この設置方法にはジャッキアップリグが使用される。マストに巻上げブロックが接続され、巻上げブロックを上向きにナセルの方へ巻き上げることができる。巻上げブロックにアームの一端が接続され、アームが、ジャッキアップリグのデッキ上に配置された支持構成の上方を滑動するように構成される。アームによってブレードを支持することができる。ブレードを設置する間、巻上げブロックは上向きに巻き上げられ、アームの一端を上向きに移動させる。同時に、アームの反対側の端部が風力タービンの方へ移動する。ブレードを実質的な水平姿勢から近垂直姿勢まで旋回させる。巻上げブロックがナセルに到達すると、ブレードの根端部がハブに接続される。
【００３４】
本発明では、この方法が幾つかの欠点を有することが認識された。第１の欠点は、ブレードを引き上げるために風力タービンのマスト上に追加の機器が必要であることである。この追加の機器を設置し取り外す必要があり、これによりコストのかかるクリティカルタイムが長くなる。
【００３５】
さらに、浮体式設置船と風力タービンとの間の相対的な動きによってこの方法を浮体式設置船から実施することが妨げられるので、この方法はジャッキアップリグとともに実施することのみが可能である。ジャッキアップリグは、速度に関する固有の欠点を有する。その理由は、任意の絶縁動作を開始する前にレグを海底に配置する必要があるからである。
【００３６】
特許文献６は、洋上で風力タービンを設置するためのシステム及び方法を開示している。特許文献６は、風力タービンを設置する方法の３つの別個の実施形態を開示している。
【００３７】
第１の実施形態は、図１〜図１９において開示され説明されている。ナセル２２がプラットフォーム２６上に配置される。ナセル２２はすでに２つのブレード３２を有しており、ナセル２２がプラットフォーム２６上に配置される前に３つのブレードのちの２つがハブに取り付けられる。第３のブレード３２は、風力タービンのマストのセクション３０に一時的に取り付けられる。例えば、図２を参照されたい。これらのマストセクションは、設置船のデッキ上に水平に配置される。設置船は、ジャッキアップ式であり、ベース１０を備える。設置船は、風力タービンを設置する間浮遊するという意味で浮体式設置船ではない。
【００３８】
設置船は、すでに設置されている風力タービンの下部３１の近くに配置される。次いで、マストのセクションを引き上げ、垂直姿勢まで回転させる。図１０Ａを参照されたい。その後、第３のブレードを含むこのセクションが下部３１上に配置される。図１１を参照されたい。次に、２つのブレードを含むナセルがマスト３０の頂部に配置される。図１３を参照されたい。その後、第３のブレード３２がハブに取り付けられる。
【００３９】
特許文献６では、ナセルがプラットフォーム２６上に配置される前にすでに第１の２つのブレードがナセルに取り付けられている。第３のブレードは、ナセルが風力タービンマスト上に配置された後に取り付けられる。このとき、ナセルはまだプラットフォーム２６によって支持されている。したがって、ナセルがプラットフォーム上に配置されるときにハブ上におそらく１つのブレードが取り付けられるが、このことは、ＲＮＡが風力タービンマスト上に配置される前ではなく配置された後に行われる。揚重動作の前には支持プラットフォーム上のナセルにブレードは取り付けられない。第１の実施形態は、かなり複雑な手順であり、ブレードをマストのセクション３０に事前に接続する必要がある。
【００４０】
第２の実施形態は、特許文献６の図２０〜図２４において開示され説明されている。この実施形態では、風力タービンは下部３１上に組み付けられる。特に図２０を参照されたい。したがって、完成したＲＮＡをマスト上に引き上げるステップは存在しない。したがって、第２の実施形態は、かなり厄介であり、浮体式設置船から実施するのは困難であるか又は不可能である。第２の実施形態がジャッキアップリグから実施されるのは明らかである。
【００４１】
第３の実施形態は、図２５以下に開示されている。これは、２つの別個のジャッキアップリグを伴うのでかなり複雑な方法である。この理由のみでこの方法はコストがかかりエラーが生じがちである。ナセル２２はすでに、設置方法の開始時に３つのブレードのうちの２つが取り付けられている。第３のブレードは、第１の実施形態と同様にマストに取り付けられる。図２７を参照されたい。ナセル及びマストは最初に小型ジャッキアップリグから大型ジャッキアップリグまで移動されるものと思われる。図３４〜図３６を参照されたい。この設置方法は、この時点から先は、第１の実施形態と同じであるものと思われる。第３の実施形態は、設置方法ではなく搬送システム２００として説明されている。パラグラフ９７を参照されたい。
【００４２】
特許文献７は、洋上風力タービンを組み立てて移送する方法に関する。特許文献７では、ナセルは設置船のデッキ上に部分ブレード４を備える。ブレードの第２の部分１５は、船上に設置される。図４を参照されたい。この設置の間、ナセル３は、デッキの高さよりも上に上昇され、この理由で、この設置方法は、３つではなく２つのブレードを有する風力タービンにしか使用できない。このことは特許文献７の方法の欠点である。
【００４３】
特許文献７の別の欠点は、ブレードに異なる製造方法が必要であることである。従来の方法ではブレードを一体に製造するが、特許文献７の方法では、ブレードを２つの別個の部材として製造する必要がある。これは効率的ではなく、余分な破損点が生じる。
【先行技術文献】
【特許文献】
【００４４】
【特許文献１】国際公開第２０１３／０９５１３６号
【特許文献２】欧州特許出願第２２７５３４０号明細書
【特許文献３】米国特許出願第２０１０／０２９３７８１号明細書
【特許文献４】欧州特許第２３５４５３７号明細書
【特許文献５】韓国特許出願第１０１４３５３７６号明細書
【特許文献６】米国特許出願第２０１１／９９５６１６８号明細書
【特許文献７】米国特許出願第２０１４／０３１７９２７号明細書
【発明の概要】
【発明が解決しようとする課題】
【００４５】
本発明の目的は、高速で安全で構造化されており、信頼性及び費用効率が高い、洋上で風力タービンを設置するための設置方法及び設置船を提供することである。
【００４６】
本発明のさらなる目的は、完全な風力タービンを洋上に設置することができ、特に風力タービンの基礎を含む設置方法及び設置船を提供することである。
【課題を解決するための手段】
【００４７】
少なくとも１つの課題を実現するために、本発明は、洋上風力タービンを設置船によって洋上での目標位置に設置するための方法であって、設置船が、風力タービンを設置する間浮遊し、設置船が、
−  ブレードの根端部が接続される複数の根端部コネクタを有するハブを備えるナセルを一時的に支持するためのナセル支持構造体であって、
−  設置船のデッキから上向きに延在する支持タワーであって、支持タワーのベースが、風力タービンを設置する間デッキに対して固定位置に留まる支持タワーと、
−  支持タワーに接続された支持プラットフォームであって、１つ又は複数のブレードをナセルに接続する間ナセルを一時的に支持するように構成された支持プラットフォームとを備えるナセル支持構造体と、
−  １つ又は複数の揚重デバイスであって、
−  ナセルを支持プラットフォーム上に引き上げ、
−  ブレードを含むナセルアセンブリを、船舶に隣接して位置する風力タービンマスト上に引き上げるように構成された１つ又は複数の揚重デバイスとを備え、
完成したナセルアセンブリを引き上げるための揚重デバイスが、支持タワーから分離されたクレーンであり、
方法が、
ａ）ナセルを支持プラットフォーム上に引き上げ、ナセルを支持プラットフォームに固定するステップと、
ｂ）ナセルのハブの根端部コネクタをブレード移動システムの案内経路に面する方向に向けるステップと、
ｃ）第１のブレードの根端部をハブの対応する第１の根端部コネクタに接続するステップと、
ｄ）以後のブレード及び根端部コネクタについて、すべてのブレードがナセルのハブに接続され、これによりＲＮＡが形成されるまでステップｂ）及びｃ）を繰り返すステップと、
ｅ）ＲＮＡをクレーンから吊り下げ、ＲＮＡをクレーンによってナセル支持構造体の支持プラットフォームから引き上げ、その後ＲＮＡをクレーンによって支持プラットフォームから離れる方向に移動させ、船舶に隣接して位置する風力タービンマスト上にＲＮＡを配置するステップとを含む方法を提供する。
【００４８】
本発明は有利なことに、特に大型風力タービン用の浮体式船舶から構造化された安全な設置手順を可能にする。この手順はまた、比較的高速で安全で費用効果が高い。現在までそのような手順は利用可能ではなかった。洋上での風力タービンのサイズが大きくなり続け、洋上での風力タービンが設置される深度が深くなると仮定した場合、本設置手順は、この技術分野にとって有益な寄与となる。
【００４９】
完成したナセルアセンブリを引き上げるための揚重デバイスは、支持タワーから分離したクレーンである。これによって移送動作はより単純でより信頼性の高い動作になる。クレーンのベースは、支持タワーのベースとは異なる、設置船のデッキ上の位置に設けられる。
【００５０】
ブレードは、一体に設置されてもよく、言い換えれば、特許文献７のように２つの半部として設置する必要はない。
【００５１】
一実施形態では、ブレードをハブ上に設置する間、１つ又は複数の揚重デバイスが、基礎を海底に下降させ並びに／又は風力タービンマスト若しくはその一部を基礎上に引き上げることによって同時に基礎を設置してもよい。基礎及び／又はマスト（若しくはセグメント）を設置し、ブレードをナセルのハブ上に設置する同時動作は、全体的な設置時間を短縮するのを可能にする。
【００５２】
このことは特に、少なくとも第１の揚重デバイス及び第２の揚重デバイスを備える設置船によって実施されてもよく、その場合、第１の揚重デバイスは第１のクレーンであり、第２の揚重デバイスは第２のクレーンであり、第１のクレーンは、基礎を海底に下降させることによって基礎を設置し、その後マストを設置するために使用され、一方、第２のクレーンは、ＲＮＡ（ロータナセルアセンブリ）の組立て用の揚重動作を同時に実行する。
【００５３】
一実施形態では、設置船は、ブレードを持上位置から、根端部が根端部コネクタに配置される設置位置に移動させるように構成されたブレード移動システムを備え、ブレード移動システムは、ブレードを支持するように構成された少なくとも１つの可動ブレード支持体と、可動ブレード支持体を移動させるための駆動システムとを備え、方法は、ステップｂ）とステップｃ）との間に、
−  ブレードの根端部を可動ブレード支持体によって支持するステップと、
−  駆動システムによって可動ブレード支持体を移動させることによって第１のブレードの根端部を案内経路に沿ってハブ上の根端部コネクタまで移動させ、根端部を根端部コネクタに揃え、ブレードの根端部をハブ上の根端部コネクタに係合させるステップとを含む。
【００５４】
本発明では、ブレード、特にブレードの根端部とハブとの間の相対運動が取り出され、これにより、ブレード設置がより大きな天候窓内で実現可能になり、すなわち、より悪い天候条件（浮体式船舶についての海況及び風並びにジャッキアップリグについての風）において実現可能になる。
【００５５】
本発明は、作業性を向上させ、ブレード設置の移動及び困難を低減させる。ＲＮＡを組み立てる間に、並行してタワーが設置され、ジャケット／トランジションピース／マストが準備されることによって速度が高められる。
【００５６】
本発明では、基礎、マスト、及びＲＮＡを含む、風力タービンの総設置時間は、２０時間未満、場合によっては１７時間未満と推定される。このことは、利用可能な方法に対する顕著な向上である。
【００５７】
ナセル支持構造体は、ブレードをハブ上に設置するための安定したプラットフォームを形成する。そのようなナセル支持構造体自体が従来技術から知られている。
【００５８】
一実施形態では、さらなる利点は、本方法を単一の船舶とともに使用できることである。さらに、本発明は、浮体式設置船に非常に適している。浮体式設置船は、ジャッキアップリグに勝る顕著な利点をもたらす。その理由として、浮体式設置船はジャッキアップおよびジャッキダウンする必要がなく、時間が節約される。ジャッキングプロセスの他に、浮体式船舶は、風向きを計測して最適な設置方位を見つけて動きを低減させ作業性を良好にすることができる。浮体式船舶は、制限なしに浅い水深及び深い水深で動作することができる。最小水深による物理的喫水制限のみがあり、ジャッキアップは最小及び最大水深によって制限される。
【００５９】
設置船は浮体式設置船、特に半潜水船であってもよい。本発明の別の実施形態では、設置船はジャッキアップリグであってもよい。
【００６０】
設置船が２つのクレーンを有し、基礎がサクションバケットを有するジャケットであるときに本発明による設置方法に必要な典型的な時間は、１０．５時間であってもよい。これは、さらに数時間かかることがある既知の方法と比較して非常に短い。
【００６１】
基礎がモノパイルである場合、スリップジョイントがトランジションピースと一体化され、トランジションピースに置き換わる。設置では、まずモノパイルが海底に移動させられ、その後トランジションピース／スリップジョイントが設置され、その後、マスト及びナセルアセンブリが設置される。総設置時間は約１７時間であってもよい。従来の方法では、さらに数時間かかる。
【００６２】
基礎がすでに設置済みであり、マスト及びＲＮＡのみを設置する必要がある場合、設置方法に必要な時間は約９時間とすることができる。従来の方法はさらに数時間かかる場合がある。
【００６３】
一実施形態では、ブレード移動システムは、
−  ナセル支持構造体に接続され、特に固定される積載レールであって、支持プラットフォームに位置する第１の端部と、第１の端部よりも支持プラットフォームからさらに離れた位置に位置する反対側の第２の端部とを有し、積載経路を形成する積載レールと、
−  支持プラットフォームのところの設置位置と、設置位置よりも支持プラットフォームからさらに離れた遠隔位置との間を積載レールに沿って転動するか又は滑動するトロリーであって、少なくとも１つのブレード支持体が直接又は間接的にトロリーに接続され、トロリーによって移動させられるトロリーとを備えてもよく、方法は、
トロリーが遠隔位置にあるときにブレードの少なくとも一部、特に根端部をブレード支持体に係合させ、ブレード支持体によってブレードの前記部分を支持するステップと、
トロリーを遠隔位置から積載レールに沿って支持プラットフォームのところの設置位置に向かって移動させ、これによりブレードの根端部をハブの根端部コネクタに向かって移動させるステップとを含む。
【００６４】
積載レールは、ハブの根端部コネクタに向かうブレードの非常に高速で信頼性の高い経路を形成する。一実施形態では、これによって、大型ブレードの場合にかなり危険なブレードに対するクレーン揚重動作が不要になる。積載レールによって天候稼働停止時間が大幅に短縮される。天候稼働停止時間において、従来技術による方法では、悪天候によってブレードとナセルハブアセンブリの相対的な動きが生じる。
【００６５】
一実施形態では、積載レールは、支持タワーに沿って垂直距離に亘って延在してもよく、遠隔位置は、下部位置であり、設置位置は、トロリーの上部位置であり、トロリーは、根端部を上向きに支持タワーに沿ってナセルのハブに向かって移動させる。この移動は、ブレードの設置に対して信頼性が高く、高速で安全であることがわかった。
【００６６】
一実施形態では、上向きに移動する間、ブレードを、ブレードが垂直に対して持上角度で延在する持上姿勢とブレードが垂直に対して設置角度で延在する設置姿勢との間で旋回させてもよく、この場合、設置角度は持上角度よりも小さい。このことは、ブレードのアップエンディングとも呼ばれる。アップエンディング動作によって手順はより高速でより信頼性が高くより安全になる。
【００６７】
一実施形態では、ブレード移動システムは、ブレードの長さに沿って間隔を置いて設けられた複数の位置にブレードを保持するために１つのブレード支持体又は複数のブレード支持体が接続されたローダアームであって、長さがブレードの長さの少なくとも２分の１であるローダアームを備えてもよく、ローダアームは、
ａ）トロリーヒンジを介してトロリーに旋回可能に接続されるか、又は
ｂ）デッキに旋回可能に接続されるか若しくは少なくとも１つのヒンジを介して支持タワーに旋回可能に接続され、ヒンジは、タワーのベースに位置するか、又はタワーのベースから離れた位置に位置し、
ローダアームは、ヒンジの周りを旋回可能であり、ローダアームがブレードを持ち上げるために垂直に対して持上角度で延在する持上姿勢と、ローダアームが垂直に対して設置角度で延在する設置姿勢との間を移動可能であり、設置角度は持上角度よりも小さく、
方法は、
ブレードが持上姿勢であるときにブレードをブレード支持体を介してローダアームに接続するステップと、
ブレードをローダアームによって設置姿勢まで旋回させるステップとを含む。
【００６８】
ローダアームは、効果的な持上動作及びハブに対するブレードの高速で安全な配置を可能にする。
【００６９】
一実施形態では、ローダアームはトロリーヒンジを介してトロリーに旋回可能に接続され、方法は、ブレード支持体を介してローダアームによってブレードを保持するステップであって、ブレードの根端部が、トロリーの方へ向けられ、自由端がトロリーから離れる方向に向けられるステップと、
トロリーを支持タワーに沿って上向きに移動させ、これにより、ブレードの根端部を支持タワーに沿って上向きにナセルのハブに向かって移動させ、ブレードを設置姿勢まで旋回させるステップとを含む。
【００７０】
この実施形態は、全体的な速度、信頼性、及び安全性をさらに向上させる。
【００７１】
代替実施形態では、ローダアームは、デッキに旋回可能に接続されるか又は少なくとも１つのヒンジを介して支持タワーに旋回可能に接続されてもよく、
ａ）ヒンジは、タワーのベースに位置し、ローダアームの反対側の端部は、円の一部の経路を辿り、ブレードは、ブレードの根端部がヒンジから離れる方向に向けられ、ブレードの自由端がヒンジの方へ向けられるようにローダアームによって保持され、ブレードは、上向き移動の間実質的に支持タワーに揃えられたままであり、
ｂ）ヒンジは、タワーのベースに位置し、ローダアームの反対側の端部は、円の一部の経路を辿り、ブレード支持体は、反対側の端部に旋回可能に接続され、ブレードは、上向きに移動する間ローダアームに対して支持プラットフォーム上のハブに向かって旋回させられ、又は、
ｃ）ヒンジは、タワーのベースからある距離に位置し、ブレードは、ブレードの自由端がヒンジの方へ向けられるようにローダアームによって保持され、ブレードは、上向きに移動する間実質的に支持タワーに揃えられたままであり、
方法は、
ローダアームを上向きに旋回させ、これによりブレードの根端部をナセルに向かって移動させるステップを含む。
【００７２】
このことは、アップエンディング動作の代替バージョンであり、トロリーを必要とせず、ローダアームがより簡単な旋回移動を行うことを考慮するとより簡単な動作である。
【００７３】
一実施形態では、ブレード移動システムは、各ブレードの根端部を支持プラットフォームの高さまで引き上げるように構成され、根端部を引き上げる間、ブレードの自由端は、デッキの高さに留まるか、又は少なくとも、根端部をハブに接続するまで同じ高さまで上昇されることはなく、根端部を引き上げる間、ブレードを旋回させ、自由端を支持タワーに向かって移動させる。自由端は、ローダアームによってデッキの高さに支持することができ、ローダアームがブレードよりも短く、ブレードの自由端が、支持タワーから離れる方向に向けられたローダアームの端部を越えて突き出る場合に、上向きにより短い距離に亘って移動してもよく、又は場合によっては、アップエンディングの間下向きに移動してもよい。
【００７４】
一実施形態では、ブレードは、ブレードが実質的に水平である間に少なくとも１つのブレード支持体によって持ち上げられる。これによって、ブレードをデッキから持ち上げることができ、このことは効率的である。
【００７５】
一実施形態では、ブレードを、実質的に支持タワーに、特に垂直に揃えられる設置姿勢まで旋回させる。支持タワーに揃えると、ブレードの位置及び姿勢を効率的に制御することができ、ハブの根端部コネクタに対するブレードの根端部の必要な微細な配置が容易になる。
【００７６】
一実施形態では、支持タワーは、実質的に垂直に向けられるか、又は垂直に対して少なくとも＋／−５度未満の角度に向けられる。このようにして、ブレードを引っ張る重力が、根端部をハブの根端部コネクタに向かって移動させる方向に揃えられる。
【００７７】
一実施形態では、ブレード移動システムは、根端部をブレードの長手方向と直交するＹ方向及びＺ方向において根端部コネクタに対して揃えるためのアクチュエータを備え、長手方向はＸ方向であり、アクチュエータは、少なくとも１つのブレード支持体を、ブレード支持体が接続されたトロリー又はローダアームに対してＹ方向及びＺ方向に移動させ、アクチュエータは特に、根端部の複数のねじ付き端部を根端部コネクタにおける関連する複数の穴に揃える。アクチュエータは、根端部を根端部コネクタに厳密に揃えるのを可能にする。
【００７８】
代替実施形態では、ブレードを垂直に対して５０度〜７０度の角度である設置姿勢まで旋回させる。この実施形態は、ブレードを完全に支持タワーに平行に向ける必要がないという点で利点をもたらす。これによって時間が節約される。ブレードは、特に垂直に対して６０度の角度に向けることができる。
【００７９】
一実施形態では、ハブの主回転軸は実質的に水平に向けられる。
【００８０】
一実施形態では、ハブの主回転軸は、船舶の長手方向に対して実質的に平行に向けられるか又は実質的に直交するように向けられる。これによって支持タワー及び支持プラットフォームを簡単に構成することができ、設置方法の幾つかのロジスティック態様が向上することがわかった。
【００８１】
ブレードがハブ軸に対して厳密に９０度に挿入されるわけではないことに留意されたい。このことは、強風負荷を受けるときの風力タービンのブレードとマストとの間の隙間要件に起因する。したがって、ハブの軸は水平＋／−ｘ度（ハブ−ブレード角度への調整のため）である。この方向は、任意の方向とすることができるが、長手方向又は垂直＋／−ｘ度（ハブ−ブレード角度への調整のため）であることが多い。
【００８２】
一実施形態では、支持タワー及びブレードの持上位置は、設置船の側部に配置され、持上位置は、設置船の長手方向に平行に延在する。これによって全体的なデッキレイアウトが向上することがわかった。デッキの中央位置をナセル、ハブ（事前にナセルに組み付けられない場合）、及びブレードの格納及び取扱いに使用することができ、これにより安全性が向上する。
【００８３】
一実施形態では、支持タワーは、高さがブレードの長さの少なくとも７０％、特に少なくとも９０％、さらに特に少なくとも１００％である。これによってブレードを支持タワーに揃えることができる。支持タワーの最大高さは最大クレーン揚重高さによって決定される。支持タワーの最小高さは、ある角度のブレードが（まったく）水に接触しない海水位に対するブレード長さによって決定される。ブレード角度は水平に対して５０度〜９０度であってもよく、（公称喫水における）海水位に対するタワーの最小高さは、概ねブレードの長さｘ  ｃｏｓ（ブレード角度）である。
【００８４】
一実施形態では、ブレード移動システムは、走行ブロックを備える巻上げシステムを備え、少なくとも１つのブレード支持体は、ブレードを上向きに旋回させつつブレードの根端部を支持プラットフォームまで巻き上げるために走行ブロックに直接又は間接的に取り付けられ、特に走行ブロックとトロリーが一体化される。巻上げシステムは、ハブの根端部コネクタに向かってブレードの根端部を移動させる簡単で信頼性の高い方法であることがわかった。
【００８５】
代替実施形態では、積載レールは、支持プラットフォームから離れる方向へ水平距離に亘って延在し、トロリーは、積載レールに沿って前記支持プラットフォームに向かって遠隔位置から設置位置まで前記水平距離に亘って転動するか又は滑動し、ブレード支持体がトロリー上に設けられる。この実施形態では、ブレード及び特にその根端部を根端部コネクタに向かって水平距離に亘って移動させる。これによって、また、高速で信頼性が高く安全な配置及び接続手順が可能になることがわかった。
【００８６】
この実施形態では、１つ又は複数の揚重デバイスは、クレーンを備えてもよく、ブレードは、クレーンによってデッキから引き上げられ、ブレードの根端部はトロリー上に配置され、ブレードは、トロリーをナセルに向かって移動させる間トロリーとクレーンの両方によって支持される。これは、ブレードを配置してブレードを根端部コネクタに接続するための簡単で安全な手順である。
【００８７】
この実施形態では、積載レールは水平方向に延在してもよい。これによって、根端部を根端部コネクタに対して水平に配置することができる。
【００８８】
積載レールは、水平に対して傾斜してもよい。一実施形態では、積載レールは、垂直に対して０度〜７０度の角度で、好ましくは垂直に対して５０度〜７０度の角度に延在してもよく、ブレードは、垂直に対して０度〜７０度、好ましくは垂直に対して５０度〜７０度の角度で根端部コネクタに接続される。根端部をレールに沿って上向きに移動させる。根端部コネクタはレールに揃えられ、簡単な移動でブレードの根端部を根端部コネクタに挿入することが可能になる。
【００８９】
一実施形態では、基礎及び風力タービンマスト又はマストセグメントは、第１のクレーンによって設置船の第１の側から設置され、ＲＮＡは、船舶の第２の異なる側に組み立てられ、基礎を設置し、ブレードをハブに接続する間、設置船は第１の側を目標位置にして配置され、基礎及び風力タービンマストが設置された後、船舶は、ＲＮＡ（３６）を船舶から風力タービンマスト上に移送するために第２の側を目標位置にして再配置される。
【００９０】
これによってデッキ空間を２つの専用のデッキ領域に分割することができる。第１のデッキ領域は、基礎及びマストの設置専用に使用され、第２の異なるデッキ領域は、ＲＮＡの組立て専用に使用される。
【００９１】
これによってまた、別々のチームが、
１）基礎及びマストを第１のデッキ領域に設置すること、
２）第２のデッキ領域におけるＲＮＡの組立て及び設置に取り組むことができる。
【００９２】
基礎を設置し、ブレードをハブに接続する間、設置船は右舷側を目標位置にして配置されてもよい。基礎及び風力タービンマストを設置した後、船舶は、ブレードを含むナセルを船舶から風力タービンマスト上に移送するためにＲＮＡが組み立てられる側を目標位置にして再配置されてもよい。これによって、設置プロセス全体にわたる平行動作が可能になる。
【００９３】
代替として、設置船は、
１）目標領域が、基礎及びマストを目標領域まで引き上げるクレーンの届く範囲内に位置し、
２）目標領域が、ＲＮＡをマスト上に引き上げるクレーンの届く範囲内に位置する船舶位置において目標領域に対して配置される。
【００９４】
これによって設置船の再配置が不要になる。２つのクレーンが使用される場合、目標領域は２つのクレーンが重なり合う領域に位置すべきである。クレーンが船尾に配置される場合、船舶は船尾を目標領域にして配置される。クレーンが船首に配置される場合、船舶は船首を目標領域にして配置される。クレーンが右舷側又は左舷側に配置される場合、船舶はそれぞれ右舷側又は左舷側を目標領域にして配置される。
【００９５】
基礎及びマストの設置とＲＮＡのマスト、第１のデッキ領域上への揚重の両方に単一のクレーンが使用される場合、船舶は、第２のデッキ領域及び目標位置が単一のクレーンの届く範囲内になるように配置される。
【００９６】
設置船が再配置される場合、設置船は、ハブ上にブレードを設置する間に再配置されてもよい。これによって設置時間がさらに節約される。
【００９７】
個々のブレードは、垂直姿勢でハブ上に設置されてもよい。代替として、個々のブレードは、傾斜姿勢でハブ上に設置されてもよく、ブレードの根端部は、ブレードの自由端よりも高い位置に位置する。
【００９８】
本発明は、風力タービンを目標位置に洋上設置するように構成された設置船であって、
−  ブレードの根端部が接続される複数の根端部コネクタを有するハブを備えるナセルを一時的に支持するためのナセル支持構造体であって、
−  設置船のデッキから上向きに延在する支持タワーと、
−  支持タワーに接続された支持プラットフォームであって、１つ又は複数のブレードをナセルに接続する間ナセルを一時的に支持するように構成された支持プラットフォームとを備えるナセル支持構造体と、
−  １つ又は複数の揚重デバイスであって、
−  ナセルを支持プラットフォーム上に引き上げ、
−  完成したナセルアセンブリを船舶に隣接して位置する風力タービンマスト上に引き上げるように構成された揚重デバイスとを備える設置船に関する。
【００９９】
本発明による設置船は、本発明による方法と同じ利点をもたらす。
【０１００】
一実施形態では、設置船は、ブレードを持上位置から、根端部が根端部コネクタに配置される設置位置に移動させるように構成されたブレード移動システムを備え、ブレード移動システムは、ブレードを支持するように構成された少なくとも１つの可動ブレード支持体と、可動ブレード支持体を移動させるための駆動システムとを備える。
【０１０１】
一実施形態では、ブレード移動システムは、
−  ナセル支持構造体に接続され、特に固定される積載レールであって、支持プラットフォームに位置する第１の端部と、第１の端部よりも支持プラットフォームからさらに離れた位置に位置する反対側の第２の端部とを有し、積載経路を形成する積載レールと、
−  支持プラットフォームのところの設置位置と、設置位置よりも支持プラットフォームからさらに離れた遠隔位置との間を積載レールに沿って転動するか又は滑動するトロリーであって、少なくとも１つのブレード支持体が直接又は間接的にトロリーに接続され、トロリーによって移動させられるトロリーとを備える。
【０１０２】
一実施形態では、積載レールは、支持タワーに沿って垂直距離に亘って延在し、遠隔位置は、下部位置であり、設置位置は、トロリーの上部位置であり、トロリーは、根端部を上向きに支持タワーに沿ってナセルに向かって移動させるように構成される。
【０１０３】
一実施形態では、ブレード移動システムは、ブレードの長さに沿って間隔を置いて設けられた複数の位置にブレードを保持するために複数のブレード支持体が接続されたローダアームを備え、ローダアームは、
ａ）トロリーヒンジを介してトロリーに旋回可能に接続されるか、又は
ｂ）デッキに旋回可能に接続されるか若しくは少なくとも１つのヒンジを介して支持タワーに旋回可能に接続され、ヒンジは、特に、タワーのベースに位置し、
ローダアームは、ヒンジの周りを旋回可能であり、ローダアームがブレードを持ち上げるために垂直に対して持上角度で延在する持上姿勢と、ローダアームが垂直に対して設置角度で延在する設置姿勢との間を移動可能であり、設置角度は持上角度よりも小さい。
【０１０４】
一実施形態では、ローダアームの一端は、トロリーヒンジを介してトロリーに旋回可能に接続され、ローダアームの反対側の端部は、デッキ上の第１の位置とデッキ上の第２の位置との間を延在するデッキレールの上方を移動可能であるデッキトロリーによって支持され、第２の位置は、第１の位置よりも支持タワーのベースに近く、ブレード移動システムは、各ブレードの根端部を支持プラットフォームの高さまで引き上げるように構成され、根端部を引き上げる間、ブレードの自由端は、デッキの高さに留まるか、又は少なくとも、根端部をハブに接続するまで同じ高さまで上昇されることはなく、根端部を引き上げる間、ブレードをある角度に亘って旋回させ、自由端を支持タワーに向かって移動させる。
【０１０５】
一実施形態では、ローダアームは、一方の端部の所で、支持タワーのベースに位置するヒンジに旋回可能に接続され、ローダアームは、ヒンジの周りにおいて、実質的に水平な姿勢と、ローダアームが支持タワーに実質的に揃えられる設置姿勢との間を旋回するように構成され、ローダアームの反対側の端部は、円の一部の経路を辿り、ローダアームは、ブレードの根端部が支持タワーから離れる方向に向けられ、ブレードの自由端が支持タワーの方へ向けられるようにブレードを保持するように構成される。
【０１０６】
一実施形態では、支持タワーは、実質的に垂直に向けられるか、又は少なくとも水平に対して８５度よりも大きい角度に向けられる。
【０１０７】
一実施形態では、ハブの主回転軸は、船舶の長手方向に平行に向けられる。
【０１０８】
一実施形態では、支持タワー及びブレードの持上位置は、設置船の側部に配置され、持上位置は、設置船の長手方向に平行に延在する。
【０１０９】
一実施形態では、支持タワーは、高さがブレードの長さの少なくとも７０％、特に少なくとも９０％、さらに特に少なくとも１００％である。
【０１１０】
一実施形態では、ブレード移動システムは、走行ブロックを備える巻上げシステムを備え、ブレード支持体は、ブレードを上向きに旋回させつつブレードの根端部を支持プラットフォームまで巻き上げるために走行ブロックに取り付けられ、特に走行ブロックとトロリーが一体化される。
【０１１１】
一実施形態では、積載レールは、支持プラットフォームから離れる方向へ水平距離に亘って延在し、トロリーは、積載レールに沿って前記支持プラットフォームに向かって遠隔位置から設置位置まで前記水平距離に亘って転動するか又は滑動するように構成される。
【０１１２】
一実施形態では、１つ又は複数の揚重デバイスは、ブレードをデッキから引き上げ、トロリーをナセルに向かって移動させる間引き続きブレードを支持しつつ、ブレードの根端部をトロリー上に配置するように構成されたクレーンを備える。
【０１１３】
一実施形態では、積載レールは、水平方向に延在する。代替実施形態では、積載レールは、垂直に対して０度〜７０度の角度、好ましくは４０度〜８０度の角度、より好ましくは５０度〜７０度の角度で延在する。
【０１１４】
一実施形態では、設置船は、少なくとも第１の揚重デバイス及び第２の揚重デバイスを備え、第１の揚重デバイスは第１のクレーンであり、第２の揚重デバイスは第２のクレーンであり、第１のクレーンは、基礎を海底に下降させることによって基礎を設置し、第２のクレーンは、同時にＲＮＡのアセンブリに対して揚重動作を実行するように構成される。
【０１１５】
一実施形態では、第１のクレーンは、設置船の右舷側に配置され、第２のクレーンは設置船の左舷側に配置され、第１のクレーンと第２のクレーンはどちらも船舶の船首又は船尾に配置される。
【０１１６】
本発明のこれらの態様及び他の態様は、以下の詳細な説明を参照し、添付の図面に関して検討することによって本発明がよりよく理解されるにつれてより容易に諒解されよう。添付の図面において同様の参照符号は同様の部品を示す。
【図面の簡単な説明】
【０１１７】
【図１Ａ】本発明の実施形態による風力タービン設置方法におけるステップを示す図である。
【図１Ｂ】本発明の実施形態による風力タービン設置方法におけるステップを示す図である。
【図２】本発明の実施形態による風力タービン設置方法におけるステップを示す図である。
【図３】本発明の実施形態による風力タービン設置方法におけるステップを示す図である。
【図４】本発明の実施形態による風力タービン設置方法におけるステップを示す図である。
【図５】本発明の実施形態による風力タービン設置方法におけるステップを示す図である。
【図６】本発明の実施形態による風力タービン設置方法におけるステップを示す図である。
【図７】本発明の実施形態による風力タービン設置方法におけるステップを示す図である。
【図８】本発明の実施形態による風力タービン設置方法におけるステップを示す図である。
【図９】本発明の実施形態による風力タービン設置方法におけるステップを示す図である。
【図１０】本発明の実施形態による風力タービン設置方法におけるステップを示す図である。
【図１１】本発明の実施形態による風力タービン設置方法におけるステップを示す図である。
【図１２】本発明の実施形態による風力タービン設置方法におけるステップを示す図である。
【図１３】本発明の実施形態による風力タービン設置方法におけるステップを示す図である。
【図１４】本発明による設置方法の第２の実施形態を示す図である。
【図１５】本発明による設置方法の第２の実施形態を示す図である。
【図１６】本発明による設置方法の第２の実施形態を示す図である。
【図１７Ａ】本発明による設置方法の第２の実施形態を示す図である。
【図１７Ｂ】本発明による設置方法の第２の実施形態を示す図である。
【図１８】本発明による設置方法の第２の実施形態を示す図である。
【図１９】本発明による設置方法の第２の実施形態を示す図である。
【図２０】本発明による設置方法の第２の実施形態を示す図である。
【図２１】本発明による設置方法の第３の実施形態を示す図である。
【図２２】本発明のさらなる実施形態を示す図である。
【図２３】本発明のさらなる実施形態を示す図である。
【図２４】本発明のさらなる実施形態を示す図である。
【図２５】本発明のさらなる実施形態を示す図である。
【図２６】本発明のさらなる実施形態を示す図である。
【図２７】本発明による別の実施形態の側面図である。
【図２８】本発明による別の実施形態を示す図である。
【図２９】図２８の実施形態を示す図である。
【図３０】本発明による別の実施形態を示す図である。
【図３１】図３０の実施形態を示す図である。
【図３２】本発明による別の実施形態を示す図である。
【図３３】本発明による別の実施形態を示す図である。
【図３４】図３３の実施形態を示す図である。
【図３５】図３３の実施形態を示す図である。
【図３６】図３３の実施形態を示す図である。
【図３７】図３３の実施形態を示す図である。
【発明を実施するための形態】
【０１１８】
図１Ａ及び図１Ｂを参照すると、洋上風力タービンを設置船１０によって洋上での目標位置１１に設置するための方法の一実施形態が示されている。この方法は特に、浮体式設置船によって実施されることが意図されている。
【０１１９】
設置船１０は、ブレード２４の根端部２２が接続される複数の根端部コネクタ２０を有するハブ１８を備えるナセル１６を一時的に支持するためのナセル支持構造体１４を備える。
【０１２０】
ナセル支持構造体１４は、設置船１０のデッキ３１から上向きに延在する支持タワー３０を備える。支持タワーはベース１３０を備える。この実施形態では、支持タワーは、実質的に垂直であるか、又は少なくとも垂直に対して５度未満の角度を有するが、支持タワーを異なる角度に傾斜させてもよいことは明らかである。この実施形態では、支持タワーのベース１３０は、支持タワーが浮体式設置船のデッキ及び船体に対して旋回するのを可能にするヒンジを備える。ヒンジはデッキ又は船体に固定される。したがって、デッキ又は船体に対するタワーの姿勢が調整可能であるにもかかわらず、ベース１３０の位置も固定される。通常、支持タワー３０は垂直方向に向けられる。
【０１２１】
ナセル支持構造体１４は、支持タワー３０、特に支持タワーの頂端部に接続された支持プラットフォーム３２をさらに備える。支持プラットフォーム３２は、１つ又は複数のブレード２４をナセル１６に接続する間ナセル１６を一時的に支持するように構成される。
【０１２２】
設置船１０は、
−  ナセル１６を支持プラットフォーム上に引き上げ、
−  ブレード２４を含むナセルアセンブリ３６（ＲＮＡ３６とも呼ばれる）を船舶に隣接して位置する風力タービンマスト上に引き上げるように構成された１つ又は複数の揚重デバイス３４、３５を備える。
【０１２３】
揚重デバイスはクレーン３４、３５であってもよい。各クレーン３４、３５は、船舶のデッキ又は船体に取り付けられたベース３９、特にタレットベースを備える。タレットベースは、垂直軸の周りのクレーンの回転を可能にする。各クレーンは、特に水平ヒンジ軸を形成するヒンジ１３２を介してタレットベースに接続された旋回可能なブーム１３１をさらに備える。ブームは、タレットベース３９の後部側に接続され、支持フレーム１３４の上方をブーム１３１の上部１３５まで延在する支持ケーブル１３３によって支持される。支持ケーブル１３３は、必要に応じて旋回可能なブーム１３１を上昇させ下降させるようにウインチによって動作可能である。
【０１２４】
設置船１０は、大型側左舷側クレーン３５と右舷側クレーン３４とを備える。設置船１０は、補助クレーン３３を備える。第１のクレーン３４は、設置船１０の右舷側に配置され、実質的にデッキ３１の右舷側に位置する関連する第１のデッキ領域を有する。第２のクレーン３５は、設置船の左舷側に配置され、実質的にデッキ３１の左舷側に位置する関連する第２のデッキ領域を有する。第１のデッキ領域は、基礎及びマストを設置するために使用される。第２のデッキ領域は、ナセル及びブレードを設置するために使用される。
【０１２５】
第１のクレーン３４と第２のクレーン３５はどちらも船舶１０の船尾９５に配置される。代替として、クレーンは船首９６に配置されてもよい。これが設置手順の全体的な効率を向上させることがわかった。
【０１２６】
設置船１０は、ブレード２４を持上位置４１から、根端部２２がハブの根端部コネクタ２０に配置される設置位置４２に移動させるように構成されたブレード移動システム４０をさらに備える。ブレードは、特許文献７とは異なり一体に設置される。各根端部２２は、ハブの根端部コネクタ２０の対応する穴に挿入する必要のある複数のねじ付き端部を備える。
【０１２７】
ブレード移動システム４０は、ナセル支持構造体に接続され、特に固定される積載レール４６を備える。この実施形態では、積載レール４６は支持タワー３０に固定され、支持タワーに沿って延在する。
【０１２８】
積載レール４６は、支持プラットフォームに位置する第１の上端部と、第１の端部よりも支持プラットフォームからさらに離れた位置に位置する反対側の第２の下端部とを有する。積載レールは積載経路を形成する。図１では、積載レールは、支持タワー３０の他方の側に配置される。
【０１２９】
ブレード移動システム４０は、積載レール４６に沿って支持プラットフォームのところの設置位置と特にデッキの高さにおける設置位置よりも支持プラットフォームからさらに離れた遠隔位置との間を転動するか又は滑動するトロリー６０をさらに備える。
【０１３０】
ブレード移動システム４０は、ブレードの長さに沿って間隔を置いて設けられた複数の位置にブレードを保持するために複数のブレード支持体４４が接続されるローダアーム７０をさらに備える。代替として、ローダアームに単一のブレード支持体が接続されてもよい。一般に、ローダアームは、長さが少なくともブレードの長さの２分の１である。ブレード２４は、ブレードが持上姿勢にあるときにブレード支持体４４を介してローダアーム７０に接続される。この実施形態では、ブレード２４は、ブレードが実質的に水平である間に少なくとも１つのブレード支持体によって持ち上げられる。ブレード支持体は、ブレードを上から持ち上げるグリッパを備えてもよい。グリッパは、締付け、摩擦、又は吸引を実施してもよい。このように、ローダアームがタワーに揃えられると、ブレード支持体は、タワーから離れる方を向いたブレードの側に位置する。
【０１３１】
トロリー６０と反対側のローダアームの端部５５は、デッキレール４９の上方を転動するか又は滑動するデッキトロリー４８によって旋回可能に支持される。反対側の端部は、水平方向に移動する。デッキレールは、デッキ上の第１の位置とデッキ上の第２の位置との間を延在し、第２の位置は第１の位置よりも支持タワーのベースに近い。デッキレール４９は、設置船の長さ方向に延在し、持上位置４１に隣接して延在してもよい。
【０１３２】
ブレード２４は、ブレード支持体４４を介してローダアーム７０によって保持され、ブレードの根端部２２はトロリーの方へ向けられ、自由端２５はトロリー６０から離れる方へ向けられる。ブレード支持体４４は、ローダアーム及びトロリーを介して積載レール４６に接続される。
【０１３３】
図１〜図１２の実施形態では、ローダアーム７０はトロリーヒンジ７１を介してトロリーに旋回可能に接続される。（以下にさらに説明するように、別の実施形態では、ローダアームは、少なくとも１つのヒンジを介してデッキ又は支持タワーに旋回可能に接続されてもよく、ヒンジは特に、タワーのベースに配置される。この実施形態は、積載レール又はトロリーなしで機能してもよい。）
【０１３４】
ローダアーム７０は、トロリーに対してトロリーヒンジ７１の周りを旋回可能であり、ローダアームがブレードを持ち上げるために垂直に対して持上角度、特に約９０度に延在する持上姿勢と、ローダアームが垂直に対して設置角度で延在する設置姿勢との間を移動可能である。設置角度は持上角度よりも小さい。
【０１３５】
この方法は、トロリーが遠隔位置にあり、ブレード支持体によってブレードの前記一部を支持しているときに、ブレードの少なくとも一部、特に根端部２２をブレード支持体４４に係合させることを含む。
【０１３６】
ブレード移動システム４０は、少なくとも１つの可動ブレード支持体４４と、可動ブレード支持体を移動させるための駆動システム４５とを備える。図２を参照されたい。ブレード移動システム４０は、ブレード支持体を支持プラットフォーム上のナセルのハブの根端部コネクタに対してＸ、Ｙ、及びＺ方向に移動させるように構成される。代替又は追加として、支持プラットフォーム３２は、厳密な配置のためにＸ、Ｙ、及びＺ方向においてハブ１８を含むナセル１６を移動させるためのアクチュエータを備えてもよい。このことについて図３３〜図３６に関連して説明する。
【０１３７】
支持タワー３０及びブレードの持上位置は、設置船の側部、この場合は左舷側に配置される。ナセル１６は、左舷側クレーン３５によって支持プラットフォーム３２に向かって引き上げられる。
【０１３８】
ブレード２４に対する持上位置４１は細長く、設置船の長手方向に平行に延在する。持上位置は支持タワー３０の前方である。左舷側クレーン３５は支持タワー３０の後方に配置される。
【０１３９】
設置プロセス全体に亘って又は設置プロセスの間の必要な期間に、はしけ９０又は他の種類の支持船を設置船に並べて配置することができる。はしけは、風力タービンの一部、すなわち、追加の基礎、マスト若しくはマストセグメント、ナセル、又はブレードを保持してもよい。ブレードは、３つ又は４つのブレード、一般には３つのブレードのセットにまとめられてもよい。設置プロセス全体に亘って、部品がはしけ９０から設置船１０上に移送されてもよい。基礎８０、トランジションピース８５、マスト８１、ブレード２４、及び／又はナセル１６などの部品は、追加又は代替として設置船のデッキ３１上に格納されてもよい。ナセル格納位置は、デッキの中央に位置してもよい。ブレード格納位置もデッキの中央に位置してもよい。
【０１４０】
図２は、支持プラットフォーム３２上のナセルを示す。次に、ナセルが支持プラットフォームに固定される。ハブの主回転軸１９は実質的に水平に向けられ、少なくとも水平に対して＋／−５度の角度に向けられる。この実施形態では、ハブの主回転軸１９は、船舶の長手方向に平行に向けられる。次に、ナセルのハブの根端部コネクタ２０が、ブレード移動システムの案内経路４３に面する方向に向けられる。
【０１４１】
同時に、ブレード２４の根端部２２が、ローダアーム７０の可動ブレード支持体４４によって支持される。ローダアーム７０は、持上姿勢になり、デッキに揃えられる。ローダアームは、間隔を置いて配置された３つの可動ブレード支持体４４Ａ、４４Ｂ、４４Ｃを備える。持上姿勢が完全に水平である必要はないことは明らかである。可動ブレード支持体４４Ａ、４４Ｂ、４４Ｃは、ブレードの上方に延在し、ブレードを上から把持するように構成されたグリッパを備える。各可動ブレード支持体４４Ａ、４４Ｂ、４４Ｃは、グリッパを制御するための制御されたアクチュエータを備える。さらに、各可動ブレード支持体４４Ａ、４４Ｂ、４４Ｃは、ローダアーム７０に対するＸ、Ｙ、及びＺ方向におけるグリッパの位置を正確に制御するためのアクチュエータを備える。このことは、根端部２２の複数のねじ付き端部を根端部コネクタの対応する穴に挿入するための微細配置に必要である。
【０１４２】
ブレード移動システム４０は、各ブレードの根端部２２を支持プラットフォームの高さまで引き上げるように構成され、根端部２２を引き上げる間、ブレードの自由端２５は、デッキの高さに留まるか、又は根端部をハブに接続するまで少なくとも同じ高さまで上昇されることはない。ブレードの根端部を引き上げる間、自由端２５は支持タワーに向かって移動させられる。
【０１４３】
ブレードをハブ上に組み付けるのと同時に、第１のクレーン３４を使用して、第２のクレーン３５がナセルを組み立てるための揚重動作を実行する間に、基礎を海底に下降させることによって基礎８０を設置する。基礎は、吸引バケットによって海底に固着されてもよい。代替として、基礎はパイルによって固着されてもよい。基礎は、ジャケットであるように示されているが、基礎はモノパイルであってもよく、本発明は、モノパイルの場合でも実質的に同じ利点をもたらす。
【０１４４】
モノパイルの場合、スリップジョイントがトランジションピースと一体化され／トランジションピースに置き換わる。設置は、まずモノパイルが海底に移送され、その後、トランジションピース／スリップジョイントが設置される。その後、マスト及びナセルアセンブリの設置が実施される。
【０１４５】
本発明は、重力ベースの構造などの他の種類の基礎にも作用する。
【０１４６】
基礎８０及び風力タービンマスト８１又はマストセグメントは、第１のクレーンによって設置船の右舷側から設置され、ナセル１６は、船舶の左舷側で組み立てられる。逆についても同様である。
【０１４７】
基礎を設置しブレード２４をハブに接続する間、設置船は、右舷側を目標位置１１として配置されてもよい。船舶はミラーリングされてもよく、その構成では設置船が左舷側の目標位置に配置されることは明らかである。代替方法では、設置は船首又は船尾を目標位置として配置されてもよい。
【０１４８】
基礎８０及び風力タービンマスト８１を設置した後、船舶１０は、他方の側を目標位置として、すなわち、ブレードを有するナセルを船舶から風力タービンマスト上に移送するためにナセルが組み立てられる側を目標位置として再配置されてもよい。
【０１４９】
船舶が再配置される場合、船舶の再配置は、ハブ上にブレードを設置する間に実施されてもよい。
【０１５０】
図３を参照すると、トロリー６０は、駆動システム４５によって支持タワー３０に沿って上向きに移動させられ、これによりブレードの根端部２２を支持タワーに沿ってナセルに向かって移動させ、ブレードを設置姿勢まで旋回させる。駆動システムは、トロリーに接続された巻上げブロックと、トロリーを上向きに巻き上げるウインチとを備えてもよい。
【０１５１】
第１のブレード２４Ａの根端部２２を案内経路に沿ってハブ上の根端部コネクタ２０まで移動させる。ブレード２４をローダアーム７０によって設置姿勢まで旋回させる。
【０１５２】
上向き移動の間、ブレード２４を、ブレードが垂直に対して持上角度で延在する持上姿勢と、ブレードが垂直に対して設置角度で延在する設置姿勢との間を旋回させる。設置角度は持上角度よりも小さい。
【０１５３】
図４を参照すると、ブレード２４の根端部２２は、ハブ１８上の根端部コネクタ２０に係合され、第１のブレードの根端部２２はハブの対応する第１の根端部コネクタに接続される。この場合、一般に幾つかのボルトが取り付けられる。接続動作の間、ブレードは、ブレード移動システムのブレード支持体４４によって保持される。
【０１５４】
トロリー６０は、ブレードをＸ方向、すなわち、ブレードの長手方向に移動させるのに使用されてもよい。ブレード支持体４４をＹ方向に移動させるためにアクチュエータ６８が設けられる。ブレード支持体４４を垂直方向（Ｚ方向）に移動させるためにさらなるアクチュエータ６９が設けられる。アクチュエータは、根端部２２のねじ付き端部１４０を根端部コネクタにおける対応する穴１４１に揃える。図１７Ｂは、ねじ付き端部及び穴を示す。１００個よりも多くのねじ付き端部１４０及び同数の穴１４１があってもよい。穴はリング１４４を備える。リング１４４は、ハブに対して周方向に回転可能であり、すなわち矢印１４５で示されているようにＸ軸の周りを回転可能である。したがって、一般に、ねじ付き端部１４０を穴１４１に揃えるためにブレード自体をＸ軸の周りを回転させる必要はない。
【０１５５】
図４に戻ると、ブレード２４は、支持タワー３０に実質的に揃えられる設置姿勢まで旋回させられる。個々のブレードは、垂直姿勢でハブ上に設置される。
【０１５６】
代替又は追加として、支持プラットフォーム３２は、ハブ１８を含むナセル１６を、少なくとも１つのブレード支持体（４４）によって保持されるブレードに対して少なくともＹ方向及びＺ方向に移動させるためのアクチュエータを備えてもよい。この変形例について、さらに以下で図３３〜図３６に関連して説明する。
【０１５７】
ブレードが支持タワー３０に揃えられる実施形態では、支持タワー３０は、高さがブレードの長さの少なくとも７０％であり、特に少なくとも９０％であり、さらに特に少なくとも１００％である。支持タワーが、高さがブレード２４の長さよりも小さい実施形態では、それにもかかわらず、ブレードの自由端を船舶の側部で支持タワー３０の下方において突き出させることによってブレード２４を支持タワーに揃えることが可能であってもよい。ブレードの自由端は、場合によっては設置時に水に浸かることがある。クレーンが完成したＲＮＡ  ３６を支持タワーから引き上げるのを可能にするために、クレーンの高さは支持タワーの高さよりも大きくすべきである。
【０１５８】
ブレードが支持タワーに揃えられず、垂直に対して例えば６０度の角度に設置される実施形態では、海水位よりも上のタワーの高さは、少なくともブレード長さにｃｏｓ  ６０度を掛けた値とすべきである。そのような実施形態について以下でさらに説明する。
【０１５９】
図５を参照すると、第１のブレード２４Ａはその後、１２０度の角度に亘って回転させられ、第２の根端部コネクタ２０を下向きに向ける。同時に、第２のブレード２４Ｂが持上位置４１に配置される。図６を参照すると、ローダアームは、第２のブレード２４Ｂを持ち上げるために下向きに移動させられる。
【０１６０】
図７を参照すると、第２のブレード２４Ｂは、ブレード移動システムによって上向きに移動させられる。
【０１６１】
図８を参照すると、第２のブレードの根端部は、ハブ１８の根端部コネクタ２０に接続される。
【０１６２】
図９を参照すると、ハブは再び１２０度に亘って回転させられる。第３のブレード２４Ｃが持上位置に配置される。ローダアームが持上位置に位置し、ブレード支持体が第３のブレード２４Ｃに係合する。
【０１６３】
第３のブレード２４Ｃを設置する間、第１のクレーン３４は同時に、風力タービンマスト８１を設置船から引き上げるか又ははしけから引き上げ、風力タービンマストを基礎８０上に下降させることによって風力タービンマスト８１を基礎８０上に設置する。マストは、スリップジョイントを介して基礎に接続されてもよい。これらは、基礎のトランジションチューブ内部の円錐形コネクタである。一般に、スリップジョイントは基礎としてのモノパイルとともに使用される。トランジションチューブは、マスト８１と同様に設置方法の一部として設置されてもよい。チューブは、開放上端部を有する。マストの下端部は、その外周上に嵌め合い円錐形コネクタを備える。マスト８１の下端部を単に、基礎のチューブの開放上端部内に下降させる。コネクタ同士が嵌め合い、安全な接続を確立する。
【０１６４】
図１０を参照すると、第３のブレード２４Ｃがハブに接続される。
【０１６５】
ブレードをハブまで移動させ、ブレードをハブに接続するステップは、すべてのブレード２４Ａ、２４Ｂ、２４Ｃがナセルのハブ１８に接続され、これにより（ブレードを含む）ナセルアセンブリ３６が形成されるまで、以後のブレード及び根端部コネクタについて繰り返される。
【０１６６】
図１１を参照すると、設置船は、ナセルが位置する設置船の側を目標位置の方へ向けるように再配置される。
【０１６７】
図１２を参照すると、ナセルアセンブリ３６は、クレーン３５によってナセル支持構造体から引き上げられ、その後、支持タワーから風力タービンマスト８１まで移動させられ、船舶に隣接して位置する風力タービンマスト上に配置される。ナセルアセンブリは、一般にボルトによって風力タービンマストに固定される。
【０１６８】
ＵＳ２０１０／０２９３７８１によるシステムとは異なり、クレーン３５がナセルアセンブリ３６の移送動作を実行するので、支持タワー３０は、海水位よりも上で船舶及びカンチレバーから離れて外側に移動する必要はない。したがって、支持タワーのベースは、風力タービンを設置する間デッキに対して固定位置に留まることができる。支持タワーのベースを含む支持タワーは、クレーンから水平距離に位置する。「固定位置に」という語が、ヒンジを介してデッキ（又は船体）に固定され、例えば支持タワーを垂直に維持するために１つ又は複数のアクチュエータによって調整可能な姿勢を有することがある支持タワーを除外しないことに留意されたい。
【０１６９】
ナセルアセンブリ３６は、風力タービンマスト８１の上端部８７上に直接配置されてもよい。これによって手順はさらに単純になる。さらなる移送動作又は輸送動作は必要とされない。
【０１７０】
図１３を参照すると、設置が完了し、設置船が第２の設置を開始する準備が完了する。
【０１７１】
図１４〜図２０を参照すると、第２の実施形態が示されている。図１４及び図１５に示すように、この実施形態では、支持タワー３０は右舷側に配置される。ローダアーム７０の代わりに、クレーン３４、３５の一方を使用してデッキ３１又はデッキ上に配置されたラック５３からブレード２４が引き上げられる。ブレードの重心の所で巻上げライン７３に揚重フレーム７２が接続される。ブレードが一方のクレーン、特に、この場合右舷側クレーンである支持タワー３０の側のクレーンによって引き上げられ設置される。ブレードを水平姿勢で上昇させてもよい。
【０１７２】
同時に、他方のクレーン３５が基礎及びマスト又はマストセグメントを設置してもよい。
【０１７３】
具体的に図１６〜図１９を参照すると、この実施形態では、積載レール４６は、水平距離に亘って延在し、図１〜図１３の実施形態の場合よりも短い。つまり、水平距離に亘って間隔を置いて配置された２つの積載レール４６がある。積載レール４６は特に水平である。積載レール４６は支持プラットフォーム３２又は支持タワー３０に接続される。積載レール４６は、支持プラットフォームから離れる方向へ水平距離に亘って延在する。積載レールは、支持タワー３０からカンチレバーを形成し、支持ビーム４７によって支持される。
【０１７４】
この実施形態はローダアームを有さなくてもよい。
【０１７５】
トロリー６０は、ドライブ４５によってＸ方向に駆動される。ドライブは油圧式であっても又は電気式であってもよい。トロリー６０は、湾曲した凹状部材８２を備えるブレード支持体４４を備える。部材８２は、根端部の下側を支持するように構成されてもよい。トロリーは、２つのローダレール４６によって支持され、２つのレール４６間の距離に広がっている。この実施形態では、ブレード支持体４４はトロリー６０に直接接続される。
【０１７６】
特に図１６を参照すると、クレーン、特に右舷側クレーン３４を使用してデッキからブレード２４を引き上げ、各ブレードの根端部２２をトロリー６０上に配置してもよい。トロリー６０は、湾曲した凹状部材８２を備えるブレード支持体４４を備える。この実施形態では、ブレード支持体はトロリー６０に直接接続される。
【０１７７】
まず、クレーン３４はトロリーのブレード支持体４４上にブレード２４の根端部２２を配置する。クレーンは、根端部がブレード支持体４４に係合した後引き続きブレードを保持する。トロリー６０は次いで、積載レール４６に沿ってＸ方向に前記支持プラットフォーム３２に向かって遠隔位置から設置位置まで前記水平距離に亘って転動するか又は滑動する。ブレード支持体をＹ方向に移動させるためにアクチュエータ６８が設けられる。ブレード支持体４４を垂直方向（Ｚ方向）に移動させるためにさらなるアクチュエータ６９が設けられる。アクチュエータ６８、６９は、ブレード支持体の両側に設けられてもよい。これによって、根端部２２のねじ付き端部７５を根端部コネクタ２０の対応する穴に挿入するための厳密な配置が可能になる。
【０１７８】
このようにして、根端部がハブの根端部コネクタに挿入される。ブレード２４は、トロリーをナセルに向かって移動させる間トロリーとクレーンの両方によって支持される。
【０１７９】
積載レール４６は、長さを限定することができ、例えば２ｍ〜５ｍとすることができる。その理由として、ハブに向かうブレードの移動のより大きな部分がクレーン３５によって実施されるからである。この実施形態は図１〜図１３の実施形態よりも単純であるが、ブレードが、この場合も、クレーン３５から吊り下げられたときに前後に揺れる欠点がある。
【０１８０】
図２０を参照すると、ＲＮＡ  ３６は、完成すると、支持プラットフォームから引き上げられ、マスト８１上に配置される。このことは、船舶１０を再配置した後に行われてもよい。同時に、他方のクレーン３５が連続する風力タービン用の新しい部品をはしけ９０から船舶上に積載してもよい。
【０１８１】
図２１を参照すると、根端部をハブ上の根端部コネクタに向かって移動させるときにブレード２４を上向きに旋回させるが、ブレードを垂直姿勢に旋回させない別の実施形態が示されている。その代わりに、ブレード２４を水平に対して約３０度（２５度〜３５度）の角度に旋回させ、垂直に対して約６０度（５５度〜６５度）の角度に旋回させる。
【０１８２】
図１〜図１３の実施形態について開示されたのと同じ積載レール、トロリー６０及びローダアームを使用することができるが、支持タワー３０がより短く、ブレードの長さよりも短いという違いがある。
【０１８３】
この実施形態は、根端部を図１〜図１３の実施形態ほど高く上昇させる必要がない利点を有する。これによって時間が節約される。さらに、根端部を根端部コネクタに取り付ける際には、垂直挿入移動ではなく、水平に対して例えば３０度の角度の挿入移動が必要である。風力タービンが３つのブレードを有する場合、水平に対して３０度によって、すでに接続されたブレードが垂直方向に延在するのが可能になる。
【０１８４】
ブレードが上向きに移動する間、ブレード２４の自由端２５をデッキ１３の高さよりも下へ移動させることができる。デッキは一般に、水位よりもかなり高く（１０ｍ〜２０ｍ）、したがって、利用可能な高さは十分にある。
【０１８５】
図２０を参照すると、ブレードをナセルに組み付けるのと同時に実施される基礎及びタービンマストの設置は、図１〜図１３の実施形態の場合と同じとすることができる。完成したＲＮＡ  ３６は、クレーン３４、３５の一方によって、支持プラットフォーム３２から設置されたマスト８１に移送される。
【０１８６】
図２１を参照すると、この実施形態では、支持タワー３０がブレード２４の長さよりも実質的に低く、例えば、ブレードの長さの２０％〜４０％である。
【０１８７】
この実施形態は、長さがブレード２４の長さよりもかなり短いローダアーム７０を有してもよい。ブレードは、ローダアーム７０によって支持され、根端部２２が支持タワーに向けられる。ブレード２４の自由端５９は、ローダアーム７０の反対側の端部を越えてカンチレバーを形成する。トロリー６０が支持タワーに沿って上向きに移動すると、ローダアームの反対側の端部は支持タワーに向かって移動する。ブレードが旋回させられ、ブレードの先端２５が下向きに船舶のデッキよりも下方に移動する。ブレードは、ハブ上に垂直に対して４０度〜８０度の角度に設置される。
【０１８８】
図２２〜図２５を参照すると、さらなる実施形態では、ローダアーム７０は、デッキに旋回可能に接続されるか又は少なくとも１つのヒンジを介して支持タワーに旋回可能に接続され、特にタワーのベース７８に配置される。ローダアームの反対側の端部７９は、円の一部の経路を辿る。ブレード支持体４４は、ヒンジを介して反対側の端部７９に接続され、ブレードを支持する。円柱の形をした駆動システム４５がローダアーム７０を持上位置（実質的に水平であってもよい）から設置姿勢まで旋回させ、設置姿勢は、水平に対して３０度から８０度の間、好ましくは４０度から７０度の間の任意の角度であってもよい。船舶は、１つ（図２３）若しくは２つのクレーン（図２２）又はそれよりも多くのクレーンを有してもよい。
【０１８９】
ブレード支持体４４は、ローダアーム７０を旋回させる間ブレード２４を必要な姿勢に維持するためにローダアーム７０に対して旋回可能である。例えば、ブレードは上向き移動の間水平に維持されてもよいが別の姿勢も可能である。
【０１９０】
この実施形態はまた、図１４〜図２０の実施形態の積載レール４６及びトロリー６０を備える。ローダアーム７０が上向きに揺動すると、ブレード２４の根端部２２がトロリー６０上のブレード支持体４４上に配置され、トロリー６０が積載レール４６の上方を滑動するか又は転動する。アクチュエータ６８、６９は、トロリー６０が根端部コネクタ２０に向かって移動するときにＹ方向及びＺ方向における厳密な配置を可能にする。
【０１９１】
図２６を参照すると、図１４〜図２０の実施形態の変形例である別の実施形態では、第１の支持タワー３０から離れた位置に第２の支持タワー１００が設けられる。クレーンは、第１の支持タワー３０上の支持プラットフォーム３２から延在するレール４６上のトロリー６０上の第１のブレード支持体上にブレードを配置し、且つ第２の支持タワー１００上の第２のブレード支持体４４上にブレードを配置してもよい。
【０１９２】
図３０及び図３１を参照すると、代替として、ブレード２４を水平姿勢で支持プラットフォーム３２の高さまで上昇させるためのブレードリフト１１０が設けられてもよい。ブレードリフトは、１つ又は複数のブレード支持体４４を有するローダアーム７０を備えてもよく、ローダアームは、
−  第１の支持タワー３０に沿って上下に走行する第１のトロリー６０と、
−  第２の支持タワー１００に沿って上下に走行する第２のトロリー６１とによって支持される。
【０１９３】
図２７を参照すると、別の実施形態が示されており、この場合、ブレード２４はタワーに揃えられず、角度をもって設置される。この実施形態では、ローダアーム７０はヒンジ７７を介して船舶のデッキ又は船体に接続される。ヒンジ７７は、タワーから距離１０３の位置に位置し、この距離はローダアーム７０の長さよりも短く、ブレード２４の長さよりも短くてもよい。ローダアームは、水平であってもよい持上姿勢、及び垂直から３０度〜８０度であってもよい設置姿勢から旋回可能である。風力タービンが３つのブレードを有する場合、設置姿勢は垂直に対して６０度であってもよい。
【０１９４】
ローダアームは、ブレード支持体４４によってブレードを持ち上げる。ローダアームは次いで、支持プラットフォームの近くであってもよい停止位置１０６に到達するまで上向きに旋回する（破線を参照されたい）。次に、ブレード２４の根端部２２が、アクチュエータ６８、６９による厳密な配置によって根端部コネクタに挿入されてもよい。
【０１９５】
図２８及び図２９を参照すると、別の実施形態が示されている。ヒンジ７７は支持タワーのベースに位置する。ローダアーム７０は、水平であってもよい持上姿勢から、支持タワーに揃えられる設置姿勢までヒンジの周りを旋回する。ブレード２４は、ブレードの根端部２２がヒンジ７７から離れる方向に向けられ、ブレードの自由端２５がヒンジに向かう方向に向けられるようにローダアーム７０によって保持される。
【０１９６】
この方法は、ローダアームを上向きに旋回させ、これによりブレードの根端部をナセル１６に向かって移動させることを含む。
【０１９７】
この実施形態では、ブレード２４を、垂直に対して０度〜７０度の角度であり、特に５０度〜７０度である設置姿勢まで旋回させる。
【０１９８】
図３２を参照すると、さらなる態様では、設置船はジャッキアップリグ１０′であってもよい。ジャッキアップリグは、浮体式設置船と比べて多数の欠点を有するにもかかわらず、本発明の利点のいくつかがジャッキアップリグによって実現される場合もある。ジャッキアップリグ上にＲＮＡアセンブリを設けると、風条件によって依然として設置時にブレード２４の予測できない動きが生じることがあり、本明細書で開示するブレード移動システムについての実施形態はＲＮＡ組立て動作を向上させることがある。さらに、ＲＮＡを組み立てるのと同時に基礎８０及びマスト８１を設置すると、全体的な速度が高くなりコストが低減することがある。
【０１９９】
ジャッキアップリグは、単一のクレーンを備えてもよく、又は図示のように２つのクレーン３４、３５を備えてもよい。クレーン３４、３５は、ジャッキアップレグ１５０、１５１のうちの２つと揃えられてもよい。
【０２００】
この方法によれば、基礎８０とマスト８１がＲＮＡを組み立てるのと同時に設置されてもよい。この場合、ＲＮＡの組立ては、図１４〜図２０で開示したように行われるが、ＲＮＡを組み立てるための他の実施形態のいずれもジャッキアップリグ１０′上で実施可能であり、例えば、図１Ａ〜図１３のアップエンディング方法、図２１の部分アップエンディング方法、図２２〜図２５又は図２７〜図２９の旋回ローダアーム７０、図２６の方法、又は図３０及び図３１のブレードリフトなどが実施可能である。
【０２０１】
基礎８０、マスト８１の設置とＲＮＡの同じジャッキアップリグへの組付けを同時に行うと、速度が著しく高くなり、コストが低減する。このことは、ジャッキアップリグが単一のクレーンしか備えない場合でも成り立つ。
【０２０２】
図３３〜図３７を参照すると、別の実施形態では、支持プラットフォームは、根端部コネクタをブレードの根端部に揃え、特に複数のねじ付き端部を根端部コネクタにおける対応する穴に揃えるためにナセル１６及びハブ１８をブレード２４に対して少なくともＹ方向及びＺ方向に移動させるためのアクチュエータを備えるナセル移動システム１１９を備える。図示の実施形態では、アクチュエータは、ナセル１６及びハブ１８をＸ、Ｙ、及びＺ方向に移動させ、ナセル及びハブをＸ−Ｙ軸及びＺ軸の周りを回転させるように構成される。軸システムは、ブレード２４に対して定義され、その場合、Ｘ方向はブレードの長手方向に対応する。当然のことながら、異なる軸システムが定義されてもよい。
【０２０３】
支持プラットフォーム３２は、ナセル１６及びハブ１８が取り付けられる固定部１２４及び台１２５を備える。台１２５は、アクチュエータの第１のセット１２０及びアクチュエータの第２のセット１２２を介して支持プラットフォーム３２の固定部１２４に接続される。第１のセット１２０は第２のセットの上方に距離を置いて位置する。
【０２０４】
アクチュエータ１２１Ａ〜１２１Ｄの第１のセット１２０は、油圧シリンダ、例えば４つの油圧シリンダであってもよい。シリンダ１２１Ａ、１２１Ｂは一方の側の対を形成し、シリンダ１２１Ｃ、１２１Ｄは、反対側の対を形成する。
【０２０５】
アクチュエータ１２３Ａ〜１２３Ｄの第２のセット１２２は（もまた）、油圧シリンダ、例えば４つの油圧シリンダであってもよい。シリンダ１２３Ａ、１２３Ｂは一方の側の対を形成し、シリンダ１２３Ｃ、１２３Ｄは、反対側の対を形成する。
【０２０６】
第１及び第２のセット１２０、１２２はともに、６自由度を実現する。幾つかの例では、６自由度よりも少なくても十分である場合がある。例えば、ブレード移動システムが
【０２０７】
当業者には、ブレード移動システム４０とナセル移動システム１１９を組み合わせることによって、ブレード２４若しくはナセル及びハブ、又はその両方を移動させて根端部２２を根端部コネクタ２０に揃えることが可能になることが理解されよう。
【０２０８】
上記の説明は、本発明の好ましい実施形態の動作を示すことを意図したものであり、本発明の保護の範囲を縮小することを意図したものではないことは明らかである。当業者には、上記の説明から、本発明の発明概念及び保護範囲内で多数の実施形態が企図されよう。
【０２０９】
本開示は以下の節に関する。
【０２１０】
１．  洋上風力タービン（１００）を設置船（１０）、特に浮体式設置船によって洋上での目標位置（１１）に設置するための方法であって、設置船は、
−  ブレード（２４）の根端部（２２）が接続される複数の根端部コネクタ（２０）を有するハブを備えるナセル（１６）を一時的に支持するためのナセル支持構造体（１４）であって、
−  設置船のデッキから上向きに延在する支持タワー（３０）と、
−  支持タワーに接続された支持プラットフォーム（３２）であって、１つ又は複数のブレードをナセルに接続する間ナセルを一時的に支持するように構成された支持プラットフォームとを備えるナセル支持構造体と、
−  １つ又は複数の揚重デバイス（３４、３５）であって、
−  ナセル（１６）を支持プラットフォーム上に引き上げ、
−  ブレード（２４）を含むナセルアセンブリ（３６）を、船舶に隣接して位置する風力タービンマスト（８１）上に引き上げるように構成された１つ又は複数の揚重デバイスとを備え、
方法は、
ａ）ナセルを支持プラットフォーム上に引き上げ、ナセルを支持プラットフォームに固定するステップと、
ｂ）ナセルのハブの根端部コネクタ（２０）をブレード移動システムの案内経路に面する方向に向けるステップと、
ｃ）第１のブレードの根端部（２２）をハブの対応する第１の根端部コネクタに接続するステップと、
ｄ）以後のブレード及び根端部コネクタについて、すべてのブレードがナセルのハブに接続され、これによりＲＮＡ（３６）が形成されるまでステップｂ）及びｃ）を繰り返すステップと、
ｅ）ＲＮＡをナセル支持構造体から引き上げ、船舶に隣接して位置する風力タービンマスト（８１）上にＲＮＡを配置するステップとを含む方法。
【０２１１】
２．  ブレードをハブ上に設置する間、１つ又は複数の揚重デバイスが同時に、基礎（８０）を海底に設置し、風力タービンマスト（８１）又はその一部を基礎上に引き上げる、節１に記載の方法。
【０２１２】
３．  設置船は、ブレードを持上位置から、根端部が根端部コネクタに配置される設置位置に移動させるように構成されたブレード移動システム（４０）を備え、ブレード移動システムは、ブレードを支持するように構成された少なくとも１つの可動ブレード支持体（４４）と、可動ブレード支持体を移動させるための駆動システム（４５）とを備え、方法は、ステップｂ）とステップｃ）との間に、
−  ブレードの根端部を可動ブレード支持体によって支持するステップと、
−  駆動システムによって可動ブレード支持体を移動させることによって第１のブレード（２４Ａ）の根端部を案内経路に沿ってハブ上の根端部コネクタ（２０）まで移動させ、根端部を根端部コネクタに揃え、ブレードの根端部をハブ上の根端部コネクタに係合させるステップとを含む、節１又は２に記載の方法。
【０２１３】
４．  ブレード移動システムは、
−  ナセル支持構造体に接続され、特に固定される積載レール（４６）であって、支持プラットフォームに位置する第１の端部と、第１の端部よりも支持プラットフォームからさらに離れた位置に位置する反対側の第２の端部とを有し、積載経路を形成する積載レールと、
−  支持プラットフォームのところの設置位置と、設置位置よりも支持プラットフォームからさらに離れた遠隔位置との間を積載レールに沿って転動するか又は滑動するトロリー（６０）であって、少なくとも１つのブレード支持体（４４）が直接又は間接的にトロリーに接続され、トロリーによって移動させられるトロリーとを備え、方法は、
トロリーが遠隔位置にあるときにブレードの少なくとも一部、特に根端部をブレード支持体（４４）に係合させ、ブレード支持体によってブレードの前記部分を支持するステップと、
トロリーを遠隔位置から積載レールに沿って支持プラットフォームのところの設置位置に向かって移動させ、これによりブレードの根端部をハブの根端部コネクタに向かって移動させるステップとを含む、節３に記載の方法。
【０２１４】
５．  積載レール（４６）は、支持タワーに沿って垂直距離に亘って延在し、遠隔位置は、下部位置であり、設置位置は、トロリーの上部位置であり、トロリーは、根端部を上向きに支持タワーに沿ってナセルに向かって移動させる、節４に記載の方法。
【０２１５】
６．  上向きに移動する間、ブレードを、ブレードが垂直に対して持上角度で延在する持上姿勢とブレードが垂直に対して設置角度で延在する設置姿勢との間で旋回させ、設置角度は持上角度よりも小さい、節５に記載の方法。
【０２１６】
７．  ブレード移動システムは、ブレードの長さに沿って間隔を置いて設けられた複数の位置にブレードを保持するために複数のブレード支持体（４４Ａ、４４Ｂ、４４Ｃ）が接続されたローダアーム（７０）であって、長さがブレードの長さの少なくとも２分の１であるローダアームを備え、ローダアームは、
ａ）トロリーヒンジ（７１）を介してトロリー（６０）に旋回可能に接続されるか、又は
ｂ）デッキに旋回可能に接続されるか若しくは少なくとも１つのヒンジ（７７）を介して支持タワーに旋回可能に接続され、ヒンジは、タワーのベースに位置するか、又はタワーから離れた位置に位置し、
ローダアームは、ヒンジの周りを旋回可能であり、ローダアームがブレードを持ち上げるために垂直に対して持上角度で延在する持上姿勢と、ローダアームが垂直に対して設置角度で延在する設置姿勢との間を移動可能であり、設置角度は持上角度よりも小さく、
方法は、
ブレードが持上姿勢であるときにブレードをブレード支持体を介してローダアームに接続するステップと、
ブレードをローダアームによって設置姿勢まで旋回させるステップとを含む、節３から６のいずれか１つに記載の方法。
【０２１７】
８．  ローダアームはトロリーヒンジ（７１）を介してトロリー（６０）に旋回可能に接続され、方法は、
ブレード支持体を介してローダアームによってブレードを保持するステップであって、ブレードの根端部が、トロリーの方へ向けられ、自由端がトロリーから離れる方向に向けられるステップと、
トロリーを支持タワーに沿って上向きに移動させ、これにより、ブレードの根端部を支持タワーに沿って上向きにナセルに向かって移動させ、ブレードを設置姿勢まで旋回させるステップとを含む、節７に記載の方法。
【０２１８】
９．  ローダアームは、デッキに旋回可能に接続されるか又は少なくとも１つのヒンジ（７７）を介して支持タワーに旋回可能に接続され、
ａ）ヒンジ（７７）は、タワーのベースに位置し、ローダアームの反対側の端部（７９）は、円の一部の経路を辿り、ブレードは、ブレードの根端部（２２）がヒンジから離れる方向に向けられ、ブレードの自由端がヒンジの方へ向けられるようにローダアームによって保持され、ブレードは、上向き移動の間実質的に支持タワーに揃えられたままであり、
ｂ）ヒンジ（７７）は、タワーのベースに位置し、ローダアームの反対側の端部は、円の一部の経路を辿り、ブレード支持体（４４）は、反対側の端部（７９）に旋回可能に接続され、ブレードは、上向きに移動する間ローダアームに対して支持プラットフォーム上のハブに向かって旋回させられ、
ｃ）ヒンジ（７７）は、タワーのベースからある距離（１０３）に位置し、ブレードは、ブレードの自由端（２５）がヒンジの方へ向けられるようにローダアームによって保持され、ブレードは、上向きに移動する間実質的に支持タワーに揃えられたままであり、
方法は、
ローダアームを上向きに旋回させ、これによりブレードの根端部をナセルに向かって移動させるステップを含む、節７に記載の方法。
【０２１９】
１０．  ブレード移動システム（４０）は、各ブレードの根端部を支持プラットフォームの高さまで引き上げるように構成され、根端部を引き上げる間、ブレードの自由端（２５）は、デッキの高さに留まるか、又は少なくとも、根端部をハブに接続するまで同じ高さまで上昇されることはなく、根端部（２２）を引き上げる間、ブレードを旋回させ、自由端を支持タワーに向かって移動させる、節３から９のいずれか１つに記載の方法。
【０２２０】
１１．  ブレードは、実質的に水平である間に少なくとも１つのブレード支持体によって持ち上げられる、節３から１０のいずれか１つに記載の方法。
【０２２１】
１２．  ブレードを、実質的に支持タワーに揃えられる設置姿勢、特に垂直姿勢まで旋回させる、節１から１１のいずれか１つに記載の方法。
【０２２２】
１３．  ブレード移動システムは、根端部（２２）をブレードの長手方向と直交するＹ方向及びＺ方向において根端部コネクタ（２０）に対して揃えるためのアクチュエータ（６８、６９）を備え、長手方向はＸ方向であり、アクチュエータ（６８、６９）は、少なくとも１つのブレード支持体（４４）を、ブレード支持体（４４）が接続されたトロリー（６０）又はローダアーム（７０）に対してＹ方向及びＺ方向に移動させ、アクチュエータは特に、根端部の複数のねじ付き端部を根端部コネクタにおける関連する複数の穴に揃える、節３から１２のいずれか１つに記載の方法。
【０２２３】
１４．  ブレードを垂直に対して０度〜７０度、好ましくは４０度〜８０度、より好ましくは５０度〜７０度の角度である設置姿勢まで旋回させる、節１２を除く節１から１３のいずれか１つに記載の方法。
【０２２４】
１５．  ハブの主回転軸（１９）は、船舶の長手方向に対して平行に向けられるか又は直交するように向けられる、節１から１４のいずれか１つに記載の方法。
【０２２５】
１６．  支持タワー及びブレードの持上位置は、設置船の側部に配置され、持上位置（４１）は、設置船の長手方向に平行に延在する、節１から１５のいずれか１つに記載の方法。
【０２２６】
１７．  支持タワーは、水面までの高さがブレードの長さの少なくとも５０％、特に少なくとも７５％、さらに特に少なくとも１００％である、節１から１６のいずれか１つに記載の方法。
【０２２７】
１８．  積載レール（４６）は、支持プラットフォームから離れる方向へ水平距離に亘って延在し、トロリーは、積載レールに沿って前記支持プラットフォームに向かって遠隔位置から設置位置まで前記水平距離に亘って転動するか又は滑動し、ブレード支持体（４４）は、トロリー上に設けられる、節３、１６、及び１７のいずれか１つに記載の方法。
【０２２８】
１９．  １つ又は複数の揚重デバイスは、クレーンを備え、ブレードは、クレーンによってデッキから引き上げられ、ブレードの根端部はトロリー上のブレード支持体上に配置され、ブレードは、トロリーをナセルに向かって移動させる間トロリーとクレーンの両方によって支持される、節１から１８のいずれか１つに記載の方法。
【０２２９】
２０．  積載レール（４６）は水平方向に延在する、節１８及び１９のいずれか１つに記載の方法。
【０２３０】
２１．  積載レールは、垂直に対して０度〜７０度、好ましくは４０度〜８０度、より好ましくは５０度〜７０度の角度で延在し、ブレードは、垂直に対して０度〜７０度、好ましくは４０度〜８０度、より好ましくは５０度〜７０度の角度で根端部コネクタに接続される、節１８及び１９のいずれか１つに記載の方法。
【０２３１】
２２．  少なくとも第１の揚重デバイス（３４）及び第２の揚重デバイス（３５）を備え、第１の揚重デバイスは、船舶のデッキ上の、特に右舷側に関連する第１のデッキ領域を有する第１のクレーンであり、第２の揚重デバイスは、船舶のデッキ上の、特に左舷側に関連する第２のデッキ領域を有する第２のクレーンであり、第１及び第２のデッキ領域は異なる専用デッキ領域であり、第１のクレーンは、基礎を海底に設置するために使用され、一方、第２のクレーンは、同時にナセルを組み立てるための揚重動作を実行し、各クレーンは、その関連する専用デッキ領域を使用する、節１から２１のいずれか１つに記載の方法。
【０２３２】
２３．  基礎及び風力タービンマスト又はマストセグメントは、第１のクレーンによって設置船の第１の側から設置され、ナセルは、船舶の第２の異なる側に組み立てられ、基礎を設置し、ブレードをハブに接続する間、設置船は第１の側を目標位置にして配置され、基礎及び風力タービンマストが設置された後、船舶は、ＲＮＡ（３６）を船舶から風力タービンマスト上に移送するために第２の側を目標位置にして再配置される、節１から２２のいずれか１つに記載の方法。
【０２３３】
２４．  設置船は、ブレードをハブ上に設置する間に再配置される、節１から２３のいずれか１つに記載の方法。
【０２３４】
２５．  ＲＮＡ（３６）は、前記ＲＮＡ（３６）の組立てと同時に設置された基礎（８０）及びマスト（８１）上に設置され、ＲＮＡ（３６）は、ＲＮＡ（３６）の組立てと同時に設置された基礎（８０）及びマスト（８１）とは異なる基礎及びマスト上に設置される、節１から２４のいずれか１つに記載の方法。
【０２３５】
２６．  個々のブレードは、傾斜姿勢でハブ上に設置され、ブレードの根端部は、ブレードの自由端よりも高い位置に位置する、節１から２５のいずれか一項に記載の方法。
【０２３６】
２７．  風力タービン（１００）を目標位置に洋上設置するように構成された設置船（１０；  １０′）であって、
−  ブレード（２４）の根端部（２２）が接続される複数の根端部コネクタ（２０）を有するハブを備えるナセルを一時的に支持するためのナセル支持構造体（１４）であって、
−  設置船のデッキから上向きに延在する支持タワー（３０）と、
−  支持タワーに接続された支持プラットフォーム（３２）であって、１つ又は複数のブレードをナセルに接続する間ナセルを一時的に支持するように構成された支持プラットフォームとを備えるナセル支持構造体と、
−  １つ又は複数の揚重デバイス（３４、３５）であって、
−  ナセル（１６）を支持プラットフォーム上に引き上げ、
−  完成したナセルアセンブリ（３６）を船舶に隣接して位置する風力タービンマスト（８１）上に引き上げるように構成された揚重デバイスとを備える設置船。
【０２３７】
２８．  ブレードを持上位置から、根端部（２２）が根端部コネクタ（２０）に配置される設置位置に移動させるように構成されたブレード移動システム（４０）を備え、ブレード移動システムは、ブレードを支持するように構成された少なくとも１つの可動ブレード支持体（４４）と、可動ブレード支持体を移動させるための駆動システム（４５）とを備える、節２７に記載の設置船。
【０２３８】
２９．  ブレード移動システムは、
−  ナセル支持構造体に接続され、特に固定される積載レール（４６）であって、支持プラットフォームに位置する第１の端部と、第１の端部よりも支持プラットフォームからさらに離れた位置に位置する反対側の第２の端部とを有し、積載経路を形成する積載レールと、
−  支持プラットフォームのところの設置位置と、設置位置よりも支持プラットフォームからさらに離れた遠隔位置との間を積載レールに沿って転動するか又は滑動するトロリー（６０）であって、少なくとも１つのブレード支持体が直接又は間接的にトロリーに接続され、トロリーによって移動させられるトロリーとを備える、節２８に記載の設置船。
【０２３９】
３０．  積載レールは、支持タワーに沿って垂直距離に亘って延在し、遠隔位置は、下部位置であり、設置位置は、トロリーの上部位置であり、トロリーは、根端部を上向きに支持タワーに沿ってナセルに向かって移動させるように構成される、節２９に記載の設置船。
【０２４０】
３１．  ブレード移動システムは、ブレードの長さに沿って間隔を置いて設けられた複数の位置にブレードを保持するために複数のブレード支持体（４４Ａ、４４Ｂ、４４Ｃ）が接続されたローダアーム（７０）を備え、ローダアームは、
ａ）トロリーヒンジ（７１）を介してトロリー（６０）に旋回可能に接続されるか、又は
ｂ）デッキに旋回可能に接続されるか若しくは少なくとも１つのヒンジ（７７）を介して支持タワーに旋回可能に接続され、ヒンジは、タワーのベースに位置するか、又はタワーのベースから距離を置いて位置し、
ローダアームは、ヒンジの周りを旋回可能であり、ローダアームがブレードを持ち上げるために垂直に対して持上角度で延在する持上姿勢と、ローダアームが垂直に対して設置角度で延在する設置姿勢との間を移動可能であり、設置角度は持上角度よりも小さい、節２９又は３０に記載の設置船。
【０２４１】
３２．  ローダアームの一端は、トロリーヒンジを介してトロリーに旋回可能に接続され、ローダアームの反対側の端部（５５）は、デッキ上の第１の位置とデッキ上の第２の位置との間を延在するデッキレール（４９）の上方を移動可能であるデッキトロリー（４８）によって支持され、第２の位置は、第１の位置よりも支持タワーのベースに近く、ブレード移動システム（４０）は、各ブレードの根端部を支持プラットフォームの高さまで引き上げるように構成され、根端部を引き上げる間、ブレードの自由端（２５）は、根端部をハブに接続するまで同じ高さまで上昇されることはなく、根端部を引き上げる間、ブレードをある角度に亘って旋回させ、自由端を支持タワーに向かって水平距離に亘って移動させる、節２７から３１のいずれか１つに記載の設置船。
【０２４２】
３３．  ローダアームは、デッキに旋回可能に接続されるか又は少なくとも１つのヒンジ（７７）を介して支持タワーに旋回可能に接続され、
ａ）ヒンジ（７７）は、タワーのベースに位置し、ローダアームの反対側の端部（７９）は、円の一部の経路を辿り、ローダアームは、ブレードの根端部（２２）がヒンジから離れる方向に向けられ、ブレードの自由端がヒンジの方へ向けられるようにブレードを保持するように構成され、ブレードは、上向き移動の間実質的に支持タワーに揃えられたままであり、
ｂ）ヒンジ（７７）は、タワーのベースに位置し、ローダアームの反対側の端部（７９）は、円の一部の経路を辿り、ブレード支持体（４４）は、反対側の端部（７９）に旋回可能に接続され、ブレードは、上向きに移動する間ローダアームに対して支持プラットフォーム上のハブに向かって旋回させられ、
ｃ）ヒンジ（７７）は、タワーのベースからある距離（１０３）に位置し、ローダアームは、ブレードの自由端（２５）がヒンジの方へ向けられるようにブレードを保持するように構成され、ブレードは、上向きに移動する間実質的に支持タワーに揃えられたままである、節３１に記載の設置船。
【０２４３】
３４．  支持タワーは、実質的に垂直に向けられるか、又は少なくとも水平に対して８５度よりも大きい角度に向けられる、節２７から３３のいずれか１つに記載の設置船。
【０２４４】
３５．  支持プラットフォーム（３２）は、ハブの主回転軸が船舶の長手方向に平行に向けられるか、又は船舶の長手方向に直交するように向けられるようにナセルを支持するように構成される、節２７から３４のいずれか１つに記載の設置船。
【０２４５】
３６．  支持タワー及びブレードの持上位置は、設置船の側部に配置され、持上位置は、設置船の長手方向に平行に延在する、節２７から３５のいずれか１つに記載の設置船。
【０２４６】
３７．  支持タワーは、水面までの高さがブレードの長さの少なくとも５０％、特に少なくとも７５％、さらに特に少なくとも１００％である、節２７から３６のいずれか１つに記載の設置船。
【０２４７】
３８．  ブレード移動システムは、走行ブロックを備える巻上げシステムを備え、ブレード支持体は、ブレードを上向きに旋回させつつブレードの根端部を支持プラットフォームまで巻き上げるために走行ブロックに取り付けられ、特に走行ブロックとトロリーが一体化される、節２７から３７のいずれか１つに記載の設置船。
【０２４８】
３９．  積載レール（４６）は、支持プラットフォームから離れる方向へ水平距離に亘って延在し、トロリー（６０）は、積載レールに沿って前記支持プラットフォームに向かって遠隔位置から設置位置まで前記水平距離に亘って転動するか又は滑動するように構成され、トロリーは少なくとも１つのブレード支持体（４４）を支持する、節２９及び３４から３８のいずれか１つに記載の設置船。
【０２４９】
４０．  １つ又は複数の揚重デバイスは、ブレードをデッキから引き上げ、トロリーをナセルに向かって移動させる間引き続きブレードを支持しつつ、ブレード支持体（４４）上のブレードの根端部をトロリー上に配置するように構成されたクレーンを備える、節２７から３９のいずれか１つに記載の設置船。
【０２５０】
４１．  積載レールは、水平方向に延在する、節２７から４０のいずれか１つに記載の設置船。
【０２５１】
４２．  積載レールは、垂直に対して０度〜７０度の角度、好ましくは５０度〜７０度の角度で延在し、ブレードは、垂直に対して０度〜７０度の角度、好ましくは５０度〜７０度の角度に根端部コネクタに接続される、節３９及び４０のいずれか１つに記載の設置船。
【０２５２】
４３．  少なくとも第１の揚重デバイス（３４）及び第２の揚重デバイス（３５）を備え、第１の揚重デバイスは第１のクレーンであり、第２の揚重デバイスは第２のクレーンであり、第１及び第２のクレーンは、支持プラットフォームの高さよりも上まで延在し、第１のクレーンは、基礎を海底に設置するように構成され、第２のクレーンは、同時にＲＮＡを組み立てるための揚重動作を実行するように構成される、節２７から４２のいずれか１つに記載の設置船。
【０２５３】
４４．  第１のクレーンは、設置船の第１の側に配置され、第２のクレーンは、設置船の異なる第２の側に配置される、節４３に記載の設置船。
【０２５４】
４５．  第１のクレーンは、船舶のデッキ上の、特に右舷側に関連する第１のデッキ領域を有し、第２の揚重デバイスは、船舶のデッキ上の、特に左舷側に関連する第２のデッキ領域を有する第２のクレーンであり、第１及び第２のデッキ領域は異なる専用デッキ領域であり、第１のデッキ領域は、基礎及びマストの設置について専用に使用され、第２のデッキ領域は、ブレードのナセル上への設置について専用に使用される、節４３又は４４に記載の設置船。
【０２５５】
４６．  ブレード移動システムは、根端部をブレードの長手方向と直交するＹ方向及びＺ方向において根端部コネクタに対して厳密に配置するためのアクチュエータ（６８、６９）を備え、アクチュエータは、特に、根端部の複数のねじ付き端部を根端部コネクタにおける関連する複数の穴に揃えるように構成される、節２７から４５のいずれか１つに記載の設置船。
【０２５６】
４７．  アクチュエータ（６８、６９）は、少なくとも１つのブレード支持体（４４）をＹ方向及びＺ方向に移動させるように構成される、節２７から４６のいずれか１つに記載の設置船。
【０２５７】
４８．  第１の支持タワー（３０）からある距離離れて配置された第２の支持タワー（１００）を備える、節３９から４１のいずれか１つに記載の設置船。
【０２５８】
４９．  ブレードを水平姿勢で支持プラットフォームの高さまで引き上げることができるブレードリフト（１１０）を備える、節２７から４８のいずれか１つに記載の設置船。
【０２５９】
５０．  第１の支持タワーと第２の支持タワーは、少なくとも１つの支持ビームを介して相互接続される、節４７及び４８のいずれか１つに記載の設置船。
【０２６０】
５１．  支持プラットフォーム及びローダアーム（７０）の高さよりも上まで延在する単一のクレーンを備える、節４２から４４を除く節２７から４９のいずれか１つに記載の設置船。
【０２６１】
５２．  支持プラットフォーム（３２）は、プラットフォームの固定部（１２４）に対して、且つ少なくとも１つのブレード支持体（４４）によって保持されるブレード（２４）  に対して、ハブ（１８）を含むナセル（１６）を少なくともＹ方向及びＺ方向に移動させるように構成されたアクチュエータ（１２１Ａ〜１２１Ｄ、１２３Ａ〜１２３Ｄ）を備えるナセル移動システム（１１９）を備える、節２７から４４のいずれか１つに記載の設置船。
【０２６２】
５３．  アクチュエータは、根端部コネクタ（２０）をブレードの根端部（２２）に揃えるために、ナセル及びハブをＸ、Ｙ、及びＺ方向に移動させ、ナセル及びハブをＸ、Ｙ、及びＺ軸の周りを旋回させるように構成される、節２７から５２のいずれか１つに記載の設置船。
【０２６３】
５４．  支持プラットフォームは、ナセルを接続することができる台（１２５）を備え、アクチュエータは、アクチュエータ（１２１Ａ〜１２１Ｄ）の第１の上部セット（１２０）及び第１のセットの下方に距離を置いて設けられたアクチュエータ（１２３Ａ〜１２３Ｄ）の第２の下部セット（１２２）に配置された油圧シリンダであり、アクチュエータは支持プラットフォームの固定部（１２４）と台との間を延在する、節２７から５３のいずれか１つに記載の設置船。
【０２６４】
５５．  どちらのクレーン（３４、３５）も船舶の船首若しくは船尾に配置されるか、又はどちらのクレーンも船舶の右舷側若しくは左舷側に配置されるか、又はクレーンは、船舶の対角方向に対向する角部に配置される、節２７から５４のいずれか１つに記載の設置船。
【０２６５】
５６．  設置船は、特に半潜水式の浮体式船舶である、節２７から５５のいずれか１つに記載の設置船。
【０２６６】
５７．  設置船はジャッキアップリグ（１０′）である、節２７から５６のいずれか１つに記載の設置船。
【０２６７】
５８．  支持プラットフォーム（３２）の固定部（１２４）に対して且つ複数のアクチュエータを含むブレード（２４）に対してナセル（１６）及びハブ（１８）を移動させ、これにより根端部コネクタ（２０）をブレードの根端部（２２）に揃える、節１〜２６のいずれか１つに記載の方法。
【０２６８】
５９．  根端部を根端部コネクタに揃える間、ブレード移動システム（４０）を含むブレードとナセル移動システム（１１９）を含むナセル及びハブの両方を移動させるステップを含む、節１から２６のいずれか１つに記載の方法。
【符号の説明】
【０２６９】
１０  設置船
１０′  ジャッキアップリグ
１１  目標位置
１４  ナセル支持構造体
１６  ナセル
１８  ハブ
１９  主回転軸
２０  根端部コネクタ
２２  根端部
２４  ブレード
２５  自由端
３０  支持タワー
３１  デッキ
３２  支持プラットフォーム
３４  揚重デバイス、右舷側クレーン
３５  揚重デバイス、左舷側クレーン
３６  ナセルアセンブリ
３９  ベース
４０  ブレード移動システム
４１  持上位置
４２  設置位置
４３  案内経路
４４  ブレード支持体
４４Ａ、４４Ｂ、４４Ｃ  可動ブレード支持体
４５  駆動システム
４６  積載レール
４７  支持ビーム
４８  デッキトロリー
４９  デッキレール
５５  端部
５９  自由端
６０  トロリー
６８  アクチュエータ
６９  アクチュエータ
７０  ローダアーム
７１  トロリーヒンジ
７２  揚重フレーム
７３  巻上げライン
７５  ねじ付き端部
７７  ヒンジ
７８  ベース
７９  反対側の端部
８０  基礎
８１  マスト
８２  湾曲した凹状部材
８５  トランジションピース
９０  はしけ
９５  船尾
９６  船首
１００  支持タワー
１０３  距離
１０６  停止位置
１１０  ブレードリフト
１１９  ナセル移動システム
１２０  第１のセット
１２１Ａ〜１２１Ｄ  アクチュエータ、シリンダ
１２２  第２のセット
１２３Ａ〜１２３Ｄ  アクチュエータ、シリンダ
１２４  固定部
１２５  架台
１３０  ベース
１３１  ブーム
１３２  ヒンジ
１３３  支持ケーブル
１３４  支持フレーム
１３５  上部
１４０  ねじ付き端部
１４１  穴
１４４  リング
１５０、１５１  ジャッキアップレグ
【図１Ａ】
2021530405.tif 000003
【図１Ｂ】
2021530405.tif 000004
【図２】
2021530405.tif 000005
【図３】
2021530405.tif 000006
【図４】
2021530405.tif 000007
【図５】
2021530405.tif 000008
【図６】
2021530405.tif 000009
【図７】
2021530405.tif 000010
【図８】
2021530405.tif 000011
【図９】
2021530405.tif 000012
【図１０】
2021530405.tif 000013
【図１１】
2021530405.tif 000014
【図１２】
2021530405.tif 000015
【図１３】
2021530405.tif 000016
【図１４】
2021530405.tif 000017
【図１５】
2021530405.tif 000018
【図１６】
2021530405.tif 000019
【図１７Ａ】
2021530405.tif 000020
【図１７Ｂ】
2021530405.tif 000021
【図１８】
2021530405.tif 000022
【図１９】
2021530405.tif 000023
【図２０】
2021530405.tif 000024
【図２１】
2021530405.tif 000025
【図２２】
2021530405.tif 000026
【図２３】
2021530405.tif 000027
【図２４】
2021530405.tif 000028
【図２５】
2021530405.tif 000029
【図２６】
2021530405.tif 000030
【図２７】
2021530405.tif 000031
【図２８】
2021530405.tif 000032
【図２９】
2021530405.tif 000033
【図３０】
2021530405.tif 000034
【図３１】
2021530405.tif 000035
【図３２】
2021530405.tif 000036
【図３３】
2021530405.tif 000037
【図３４】
2021530405.tif 000038
【図３５】
2021530405.tif 000039
【図３６】
2021530405.tif 000040
【図３７】
2021530405.tif 000041
【国際調査報告】
2021530405.tif 000042
2021530405.tif 000043
2021530405.tif 000044